(57)【要約】【課題】携帯者の歩数等の活動量情報等に関連する質問を出力し、それに対する回答を記憶することで携帯者の活動量情報等に関する携帯者の気持ち等を記憶しておくこと。【解決手段】ユーザである携帯者の活動量を計測する計測部と、活動量と質問内容とを関連付けた質問テーブルを保持する質問テーブル保持部と、計測部での計測結果を取得して、計測結果に応じて質問テーブルから質問内容を取得して出力する質問出力部と、出力された質問内容に応じて回答を受付ける回答受付部と、受付けた回答内容を回答テーブルとして記憶する記憶部と、を有する携帯端末を提供する。【選択図】    図２Ａ
2009265852.tif 000002
【特許請求の範囲】
【請求項１】
ユーザである携帯者の活動量を計測する計測部と、
活動量と質問内容とを関連付けた質問テーブルを保持する質問テーブル保持部と、
計測部での計測結果を取得して、計測結果に応じて質問テーブルから質問内容を取得して出力する質問出力部と、
出力された質問内容に応じて回答を受付ける回答受付部と、
受付けた回答内容を回答テーブルとして記憶する記憶部と、
を有する携帯端末。
【請求項２】
ユーザである携帯者の活動量を計測する計測部と、
現在時刻を計測するための時計部と、
活動量及び時刻と質問内容とを関連付けた時刻依存質問テーブルを保持する時刻依存質問テーブル保持部と、
計測部での計測結果及び時計部で計測された現在時刻を取得して、計測結果及び現在時刻に応じて時刻依存質問テーブルから質問内容を取得して出力する時間依存質問出力部と、
出力された質問内容に応じて回答を受付ける回答受付部と、
受付けた回答内容を回答テーブルとして記憶する記憶部と、
を有する携帯端末。
【請求項３】
記憶部は、受付けた回答内容を計測結果と関連付けた回答テーブルとして記憶する記憶手段を有する請求項１又は２に記載の携帯端末。
【請求項４】
活動量と質問内容の出力タイミングとを関連付けたタイミングテーブルを保持するタイミングテーブル保持部と、
タイミングテーブルで示される出力タイミングとなった場合に、質問出力部又は時間依存質問出力部に質問内容の出力をさせる制御をするタイミング制御部と、をさらに有する請求項１から３のいずれか一に記載の携帯端末。
【請求項５】
回答受付部は、音声ファイル受付手段、画像ファイル受付手段、文字ファイル受付手段のいずれか一以上を有し、
記憶部は、一の計測結果に対して複数の回答ファイルを関連付けするための第一ファイル追加手段を有する請求項１から４のいずれか一に記載の携帯端末。
【請求項６】
質問内容とキーワードとを関連付けたキーワードテーブルを保持するキーワードテーブル保持部を有し、
記憶部は、回答テーブルに回答内容を得るために利用した質問内容に関連付けられているキーワードをキーワードテーブル保持部から取得して回答内容に関連付けて記憶する第一キーワード記憶手段を有する請求項１から５のいずれか一に記載の携帯端末。
【請求項７】
ユーザである携帯者から回答内容に関連付けてキーワードの入力を受け付けるキーワード受付部を有し、
記憶部は、回答テーブルに回答内容に関連付けて入力されたキーワードをその回答内容に関連付けて記憶する第二キーワード記憶手段を有する請求項１から６のいずれか一に記載の携帯端末。
【請求項８】
検索キーワードの入力を受け付ける検索キーワード入力受付部と、
受付けた検索キーワードを利用して回答テーブルを検索する検索部と、
をさらに有する請求項６又は７に記載の携帯端末。
【請求項９】
記憶部にて回答テーブルとして記憶されている回答内容やそれに関連付けられた計測結果を音声又は画面表示にて出力する回答出力部をさらに有する請求項１から８のいずれか一に記載の携帯端末。
【請求項１０】
コンテンツを取得するコンテンツ取得部と、
取得したコンテンツをユーザである携帯者に出力するコンテンツ出力部と、
コンテンツ種別と質問内容とを関連付けたコンテンツ質問テーブルを保持するコンテンツ質問テーブル保持部と、
コンテンツの出力されたタイミングで、そのコンテンツ種別に応じた質問内容を取得して出力するコンテンツ質問出力部と、
出力された質問内容に応じて回答を受付ける回答受付部と、
受付けた回答内容をコンテンツ回答テーブルとして記憶するコンテンツ記憶部と、
を有する携帯端末。
【請求項１１】
コンテンツ記憶部は、受付けた回答内容をコンテンツＩＤと関連付けたコンテンツ回答テーブルとして記憶するコンテンツ記憶手段を有する請求項１０に記載の携帯端末。
【請求項１２】
回答受付部は、音声ファイル受付手段、画像ファイル受付手段、文字ファイル受付手段のいずれか一以上を有し、
コンテンツ記憶部は、一のコンテンツＩＤに対して複数の回答ファイルを関連付けするための第二ファイル追加手段を有する請求項１０又は１１に記載の携帯端末。
【請求項１３】
質問内容とキーワードとを関連付けたキーワードテーブルを保持するキーワードテーブル保持部を有し、
コンテンツ記憶部は、コンテンツ回答テーブルに回答内容を得るために利用した質問内容に関連付けられているキーワードをキーワードテーブル保持部から取得して回答内容に関連付けて記憶する第三キーワード記憶手段を有する請求項１０から１２のいずれか一に記載の携帯端末。
【請求項１４】
ユーザである携帯者から回答内容に関連付けてキーワードの入力を受け付けるキーワード受付部を有し、
コンテンツ記憶部は、コンテンツ回答テーブルに回答内容に関連付けて入力されたキーワードをその回答内容に関連付けて記憶する第四キーワード記憶手段を有する請求項１０から１３のいずれか一に記載の携帯端末。
【請求項１５】
検索キーワードの入力を受け付ける検索キーワード入力受付部と、
受付けた検索キーワードを利用してコンテンツ回答テーブルを検索するコンテンツ検索部と、
をさらに有する請求項１３又は１４に記載の携帯端末。
【請求項１６】
コンテンツ記憶部にてコンテンツ回答テーブルとして記憶されている回答内容やそれに関連付けられたコンテンツＩＤを音声又は画面表示にて出力するコンテンツ回答出力部をさらに有する請求項１０から１５のいずれか一に記載の携帯端末。
【請求項１７】
回答受付部は、回答の受付を中断及び、再開する回答受付中断再開手段を有する請求項１から１６のいずれか一に記載の携帯端末。
【請求項１８】
ユーザである携帯者の活動量を計測する計測ステップと、
計測部での計測結果を取得して、計測結果に応じて質問テーブルから質問内容を取得して出力する質問出力ステップと、
出力された質問内容に応じて回答を受付ける回答受付ステップと、
受付けた回答内容を回答テーブルとして記憶する記憶ステップと、
を有する音声回答記憶方法。
【請求項１９】
記憶ステップは、受付けた回答内容を計測結果と関連付けた回答テーブルとして記憶する記憶サブステップを有する請求項１８に記載の音声回答記憶方法。
【請求項２０】
コンテンツを取得するコンテンツ取得ステップと、
取得したコンテンツをユーザである携帯者に出力するコンテンツ出力ステップと、
コンテンツの出力されたタイミングで、そのコンテンツ種別に応じた質問内容を取得して出力するコンテンツ質問出力ステップと、
出力された質問内容に応じて回答を受付ける回答受付ステップと、
受付けた回答内容をコンテンツ回答テーブルとして記憶するコンテンツ記憶ステップと、
を有する音声回答記憶方法。
【請求項２１】
コンテンツ記憶ステップは、受付けた回答内容をコンテンツＩＤと関連付けたコンテンツ回答テーブルとして記憶するコンテンツ記憶サブステップを有する請求項２０に記載の音声回答記憶方法。
【発明の詳細な説明】
【技術分野】
【０００１】
本発明は、携帯者の活動量情報等に関連する質問を出力し、それに対する回答を記憶することを特徴とする携帯端末に関する。
【背景技術】
【０００２】
近年、メタボリック解消のために適度なウォーキングが効果的であるといわれており、通勤時にウォーキングをする人が増加している。ウォーキングをする人は歩数計測機能を有する携帯機器を所有している人が多く、１日に歩いた歩数を確認することでウォーキングを楽しく続けられるということがある。
【０００３】
また、従来技術としては、歩数計測機能を有する携帯電話についての発明は既になされており、歩いた歩数や距離を表示する機能がついている。さらに、一般的な携帯電話には、音声メモ機能として、音声をメモとして記録する機能がついている。
【０００４】
さらに、特許文献１においては、ボイスレコーダー付き歩数計の発明が開示されている。また、特許文献２においては、ユーザの情報を基に質問を作成し、その回答を基に日記作成する発明が開示されている。
【特許文献１】特開２０００−２４９５６９号公報
【特許文献２】特開２００５−３０９６０４号公報
【発明の開示】
【発明が解決しようとする課題】
【０００５】
しかし、特許文献１に係る発明は、単に、ボイスレコーダー機能を歩数計につけただけであり、ユーザは自発的に録音をすることになる。さらに、録音したデータと歩数計の情報は何ら関連付けされていない。
【０００６】
また、特許文献２に係る発明は、面談型の個人情報管理方法であり、ユーザの活動量情報によって質問が作成されることはない。さらにこの発明は、個人情報管理、グループウェア、ソフトウェアエージェント、日記、カレンダー、マーケティング、アンケートシステムに関するもので、ウェッブサービスと組み合わせたネットワーク上の情報サービスであるため、１つの携帯端末で完結しているものではない。
【０００７】
本発明は、この状況に鑑みてなされたものであり、携帯者の歩数等の活動量情報等に関連する質問を出力し、それに対する回答を記憶することで携帯者の活動量情報等に関する携帯者の気持ち等を記憶しておくことを課題とする。
【課題を解決するための手段】
【０００８】
そこで本発明においては、以下の携帯端末を提案する。
【０００９】
第一の発明は、ユーザである携帯者の活動量を計測する計測部と、活動量と質問内容とを関連付けた質問テーブルを保持する質問テーブル保持部と、計測部での計測結果を取得して、計測結果に応じて質問テーブルから質問内容を取得して出力する質問出力部と、出力された質問内容に応じて回答を受付ける回答受付部と、受付けた回答内容を回答テーブルとして記憶する記憶部と、を有する携帯端末である。
【００１０】
第二の発明は、ユーザである携帯者の活動量を計測する計測部と、現在時刻を計測するための時計部と、活動量及び時刻と質問内容とを関連付けた時刻依存質問テーブルを保持する時刻依存質問テーブル保持部と、計測部での計測結果及び時計部で計測された現在時刻を取得して、計測結果及び現在時刻に応じて時刻依存質問テーブルから質問内容を取得して出力する時間依存質問出力部と、出力された質問内容に応じて回答を受付ける回答受付部と、受付けた回答内容を回答テーブルとして記憶する記憶部と、を有する携帯端末である。
【００１１】
第三の発明は、記憶部は、受付けた回答内容を計測結果と関連付けた回答テーブルとして記憶する記憶手段を有する第一の発明又は第二の発明に記載の携帯端末である。
【００１２】
第四の発明は、活動量と質問内容の出力タイミングとを関連付けたタイミングテーブルを保持するタイミングテーブル保持部と、タイミングテーブルで示される出力タイミングとなった場合に、質問出力部又は時間依存質問出力部に質問内容の出力をさせる制御をするタイミング制御部と、をさらに有する第一の発明から第三の発明のいずれか一の発明に記載の携帯端末である。
【００１３】
第五の発明は、回答受付部は、音声ファイル受付手段、画像ファイル受付手段、文字ファイル受付手段のいずれか一以上を有し、記憶部は、一の計測結果に対して複数の回答ファイルを関連付けするための第一ファイル追加手段を有する第一の発明から第四の発明のいずれか一の発明に記載の携帯端末である。
【００１４】
第六の発明は、質問内容とキーワードとを関連付けたキーワードテーブルを保持するキーワードテーブル保持部を有し、記憶部は、回答テーブルに回答内容を得るために利用した質問内容に関連付けられているキーワードをキーワードテーブル保持部から取得して回答内容に関連付けて記憶する第一キーワード記憶手段を有する第一の発明から第五の発明のいずれか一の発明に記載の携帯端末である。
【００１５】
第七の発明は、ユーザである携帯者から回答内容に関連付けてキーワードの入力を受け付けるキーワード受付部を有し、記憶部は、回答テーブルに回答内容に関連付けて入力されたキーワードをその回答内容に関連付けて記憶する第二キーワード記憶手段を有する第一の発明から第六の発明のいずれか一の発明に記載の携帯端末である。
【００１６】
第八の発明は、検索キーワードの入力を受け付ける検索キーワード入力受付部と、受付けた検索キーワードを利用して回答テーブルを検索する検索部と、をさらに有する第六の発明又は第七の発明に記載の携帯端末である。
【００１７】
第九の発明は、記憶部にて回答テーブルとして記憶されている回答内容やそれに関連付けられた計測結果を音声又は画面表示にて出力する回答出力部をさらに有する第一の発明から第八の発明のいずれか一の発明に記載の携帯端末である。
【００１８】
第十の発明は、コンテンツを取得するコンテンツ取得部と、取得したコンテンツをユーザである携帯者に出力するコンテンツ出力部と、コンテンツ種別と質問内容とを関連付けたコンテンツ質問テーブルを保持するコンテンツ質問テーブル保持部と、コンテンツの出力されたタイミングで、そのコンテンツ種別に応じた質問内容を取得して出力するコンテンツ質問出力部と、出力された質問内容に応じて回答を受付ける回答受付部と、受付けた回答内容をコンテンツ回答テーブルとして記憶するコンテンツ記憶部と、を有する携帯端末である。
【００１９】
第十一の発明は、コンテンツ記憶部は、受付けた回答内容をコンテンツＩＤと関連付けたコンテンツ回答テーブルとして記憶するコンテンツ記憶手段を有する第十の発明に記載の携帯端末である。
【００２０】
第十二の発明は、回答受付部は、音声ファイル受付手段、画像ファイル受付手段、文字ファイル受付手段のいずれか一以上を有し、コンテンツ記憶部は、一のコンテンツＩＤに対して複数の回答ファイルを関連付けするための第二ファイル追加手段を有する第十の発明又は第十一の発明に記載の携帯端末である。
【００２１】
第十三の発明は、質問内容とキーワードとを関連付けたキーワードテーブルを保持するキーワードテーブル保持部を有し、コンテンツ記憶部は、コンテンツ回答テーブルに回答内容を得るために利用した質問内容に関連付けられているキーワードをキーワードテーブル保持部から取得して回答内容に関連付けて記憶する第三キーワード記憶手段を有する第十の発明から第十二発明のいずれか一の発明に記載の携帯端末である。
【００２２】
第十四の発明は、ユーザである携帯者から回答内容に関連付けてキーワードの入力を受け付けるキーワード受付部を有し、コンテンツ記憶部は、コンテンツ回答テーブルに回答内容に関連付けて入力されたキーワードをその回答内容に関連付けて記憶する第四キーワード記憶手段を有する第十の発明から第十三の発明のいずれか一の発明に記載の携帯端末である。
【００２３】
第十五の発明は、検索キーワードの入力を受け付ける検索キーワード入力受付部と、受付けた検索キーワードを利用してコンテンツ回答テーブルを検索するコンテンツ検索部と、をさらに有する第十三の発明又は第十四の発明に記載の携帯端末である。
【００２４】
第十六の発明は、コンテンツ記憶部にてコンテンツ回答テーブルとして記憶されている回答内容やそれに関連付けられたコンテンツＩＤを音声又は画面表示にて出力するコンテンツ回答出力部をさらに有する第十の発明から第十五の発明のいずれか一の発明に記載の携帯端末である。
【００２５】
第十七の発明は、回答受付部は、回答の受付を中断及び、再開する回答受付中断再開手段を有する第一の発明から第十六のいずれか一の発明に記載の携帯端末である。
【００２６】
第十八の発明は、ユーザである携帯者の活動量を計測する計測ステップと、計測部での計測結果を取得して、計測結果に応じて質問テーブルから質問内容を取得して出力する質問出力ステップと、出力された質問内容に応じて回答を受付ける回答受付ステップと、受付けた回答内容を回答テーブルとして記憶する記憶ステップと、を有する音声回答記憶方法である。
【００２７】
第十九の発明は、記憶ステップは、受付けた回答内容を計測結果と関連付けたコンテンツテーブルとして記憶する記憶サブステップを有する第十八の発明に記載の音声回答記憶方法である。
【００２８】
第二十の発明は、コンテンツを取得するコンテンツ取得ステップと、取得したコンテンツをユーザである携帯者に出力するコンテンツ出力ステップと、コンテンツの出力されたタイミングで、そのコンテンツ種別に応じた質問内容を取得して出力するコンテンツ質問出力ステップと、出力された質問内容に応じて回答を受付ける回答受付ステップと、受付けた回答内容をコンテンツ回答テーブルとして記憶するコンテンツ記憶ステップと、を有する音声回答記憶方法である。
【００２９】
第二十一の発明は、コンテンツ記憶ステップは、受付けた回答内容をコンテンツＩＤと関連付けたコンテンツ回答テーブルとして記憶するコンテンツ記憶サブステップを有する第二十の発明に記載の音声回答記憶方法である。
【発明の効果】
【００３０】
本発明によれば、携帯者の活動量情報に応じた質問をすることができ、その質問に対する回答やそのときの携帯者の気持ち等を携帯端末に記憶しておくことができる。また、質問を音声にて出力し、音声による回答する受付ける場合には、歩きながら使用することも容易である。よって、携帯者が運動をしているとき等には特に有用であり、携帯者の運動をする気持ちを増大させることもできる。さらに、記憶した回答内容は日記としても利用可能である。
【発明を実施するための最良の形態】
【００３１】
以下に各発明を実施するための最良の形態を説明する。なお、本発明はこれら実施形態に何ら限定されるものではなく、その要旨を逸脱しない範囲において、種々なる態様で実施しうる。なお、以下の実施形態と請求項の関係は次の通りである。
【００３２】
実施形態１は、主に請求項１、３、１８、１９等について説明する。実施形態２は、主に請求項２、３等について説明する。実施形態３は、主に請求項４等について説明する。実施形態４は、主に請求項５等について説明する。実施形態５は、主に請求項６等について説明する。実施形態６は、主に請求項７等について説明する。実施形態７は、主に請求項８等について説明する。実施形態８は、主に請求項９等について説明する。実施形態９は、主に請求項１０、１１、２０、２１等について説明する。実施形態１０は、主に請求項１２等について説明する。実施形態１１は、主に請求項１３等について説明する。実施形態１２は、主に請求項１４等について説明する。実施形態１３は、主に請求項１５等について説明する。実施形態１４は、主に請求項１６等について説明する。実施形態１５は、主に請求項１７等について説明する。
<<実施形態１>>
【００３３】
<実施形態１：概要>本実施形態は、携帯者の活動量を計測しその測定結果に応じた質問を携帯者に対して出力し、それに対する回答を受け付けて記憶することを特徴とする携帯端末について説明する。
【００３４】
図１に、本実施形態に係る携帯端末の機能を説明する概念図を示した。この図はある人が歩いて山に行き、山を登っている様子を表している。なお、本説明においては、携帯者の活動量として歩数、心拍数、血圧を計測している。
【００３５】
まず（ａ）に示しように、携帯端末にて携帯者の活動量が「歩数：１歩」であることを計測すると、携帯端末が携帯者に「今日も、がんばって歩きましょう」という音声又は文字を出力する。なお、音声又は文字にて出力する際に、呼出音やバイブレータ等により携帯者に音声又は文字の出力があることを知らせても良い。これに対し、携帯者が音声を録音したい場合には、画面に示された録音０１０１ａに該当するボタンを押す。すると、録音が開始され、携帯者はそのときの気持ちや今日の目的地等を録音することが可能である。
【００３６】
次に（ｂ）に示しように、携帯端末にて携帯者の活動量が「歩数：１００００歩」であることを計測すると、携帯端末が携帯者に「１万歩、歩きました。今どこをどのように歩いていますか？」という音声又は文字を出力する。これに対し、携帯者が音声を録音したい場合には、先ほどと同様に画面に示された録音０１０１ｂに該当するボタンを押す。
【００３７】
次に（ｃ）に示したように、携帯端末にて携帯者の活動量が「心拍数：１２０以上」であることを計測すると、携帯端末が携帯者に「心拍数が１２０以上ですよ。大丈夫ですか？」という音声又は文字を出力する。これに対し、携帯者が画面に示された録音０１０１ｄに該当するボタンを押した場合には、携帯端末が携帯者に「録音を開始します」と録音の開始を知らせる。そして、携帯者は録音したい内容を回答する。そして、携帯端末はその回答内容を録音し、保持する。
【００３８】
さらに、録音を途中で中断したい場合には、携帯者は画面に示された中断０１０２ｄに該当するボタンを押すことで中断することができ、再開０１０２ｅに該当するボタンを押すことで再開することもできる。
【００３９】
<実施形態１：構成>本実施形態における携帯端末の機能ブロック図の一例を図２Ａおよび図２Ｂに示した。図２Ａに示す本実施形態の携帯端末は、「計測部」（０２０１ａ）と、「質問テーブル保持部」（０２０２ａ）と、「質問出力部」（０２０３ａ）と、「回答受付部」（０２０４ａ）と、「記憶部」（０２０５ａ）と、を有する。
【００４０】
「計測部」（０２０１ａ）は、ユーザである携帯者の活動量を計測する機能を有する。なお、ユーザである携帯者の活動量とは、歩数、心拍数、血圧、位置情報、等である。これらのうちいずれか一つを計測しても良いし、複数を計測するものであっても、全てを計測するものであっても良い。
【００４１】
歩数を計測する方法としては、人が歩行する際の上下運動を計測するようなメカ的な計測方法や加速度センサによる計測方法等の周知の歩数計測技術を利用する。歩数はユーザがリセットするまでカウントを続ける設定になっていても良いし、歩行が一定時間以上中断した時には歩数をゼロにリセットすることにより連続歩数をカウントするという設定になっていても良い。また、夜中の２４時になったら自動的にゼロにリセットされるという設定になっており、一日の合計歩数を記憶しておく機能等があっても良い。
【００４２】
また、心拍数を計測する方法としては、指等、体の一部に心拍数を測定するセンサを取り付けることによって測定可能である。心拍数を測定するセンサとしては血流量を測定するもの等が知られている。心拍数はＢＰＭという単位で計測され１分間の鼓動の回数で示される。センサにより測定した心拍数情報は、例えば、Ｉｒ通信等により携帯端末に送信される。また、一日の最高心拍数等のデータを記憶しておく機能があっても良い。
【００４３】
また、血圧を計測する方法としては、手首にベルトを巻き、加圧することで最大血圧値、最小血圧値を測定することができる。これも周知の技術である。計測した血圧値はＩｒ通信等により携帯端末に送信される。毎日、一日の決まった時間に血圧を計測し、その日の血圧として記憶しておく機能があっても良い。
【００４４】
最後に、位置情報を計測する方法としては、基地局情報やＧＰＳ情報等の周知の位置測定技術を利用する。
【００４５】
ここで、図１（ａ）のような本機能の開始を携帯者に知らせるきっかけは、携帯者の第１歩を検知する代わりに、特定の位置情報を利用し、いつも決まった場所、例えば、通勤途中に頻繁に歩き出す駅の位置情報とし、特定位置に到着したときに、携帯端末が携帯者に「今日も、がんばって歩きましょう」という音声又は文字を出力するようにしても良い。
【００４６】
「計測部」にて計測された活動量の計測結果は、「質問出力部」（０２０３ａ）にて利用される。
【００４７】
「質問テーブル保持部」（０２０２ａ）は、活動量と質問内容とを関連付けた質問テーブルを保持する機能を有する。図３Ａの上段に質問テーブルの一例を示した。ここで、活動量とは、「心拍数：１２０以上」、「歩数：１００００歩〜１２０００歩」、「位置情報：Ｘ地区→Ａ地区」、等である。位置情報については、携帯者がＸ地区に住んでいることが予め登録しておき、Ｘ地区からＡ地区に移動したという情報を取得することで携帯者の活動量を計測する。例えば、活動量が、「心拍数：１２０以上」の場合に関連付けられている質問内容とは、「心拍数が１２０以上ですよ。大丈夫ですか？」という内容である。また、「歩数：１００００歩〜１２０００歩」という活動量に関連付けられている質問内容は、「１００００歩、歩きました。今どこをどのように歩いていますか？」であり、「位置情報：Ｘ地区→Ａ地区」という活動量に関連付けられている質問内容は、「Ａ地区に到着しました。今日はどんな予定ですか？」である、という具合である。
【００４８】
「質問出力部」（０２０３ａ）は、計測部での計測結果を取得して、計測結果に応じて質問テーブルから質問内容を取得して出力する機能を有する。例えば、計測部にて測定された活動量の計測結果が、「心拍数：１２５」であったとする。すると、質問出力部は、この計測結果に応じて質問テーブルから「心拍数が１２０以上ですよ。大丈夫ですか？」という質問内容を取得して、出力する。出力は音声によってなされても良いし、画面に文字を表示させても良い。また、音声又は文字にて出力する際に、呼出音やバイブレータ等により携帯者に音声又は文字の出力があることを知らせても良い。
【００４９】
また、計測結果によって、質問内容中の数値等が変更される構成であっても良い。例えば、計測結果が「歩数：１１１１１歩」である場合には、「１１１１１歩、歩きました。今どこをどのように歩いていますか？」というように質問内容中の数値の部分を計測結果の数値に変更して質問内容を合成し「質問出力部」がその合成した質問内容を取得、出力するということである。
【００５０】
「回答受付部」（０２０４ａ）は、出力された質問内容に応じて回答を受付ける機能を有する。例えば、「心拍数が１２０以上ですよ。大丈夫ですか？」と質問された携帯者が、「○○岳の××ルートは僕には無理だったよ」と回答をした場合には、これを受付ける。質問を出力してからすぐに回答受付を開始し、時間制限を設けて回答受付を終了する方法等が考えられる。また、携帯者が画面に表示された「録音」や「回答」に該当するボタンを押してから回答受付が開始され、画面に表示された「終了」に該当するボタンを押したら回答受付が終了するという方法であっても良い。これらのうち、どの方法を採用するかは設計事項であり、さまざまな方法が考えられる。なお、回答は音声によってなされても良いし、文字入力等によってなされても良い。
【００５１】
さらに、回答受付部は、携帯者が回答を行わなかったときは、一定間隔で、入力を促すように音声出力あるいは画面表示をしても良い。
【００５２】
「記憶部」（０２０５ａ）は、受付けた回答内容を回答テーブルとして記憶する機能を有する。図３Ａの下段に回答テーブルの一例を示した。回答テーブルには受付けた回答内容が記憶されている。例えば、「心拍数が１２０以上ですよ。大丈夫ですか？」という質問に対し、「○○岳の××ルートは僕には無理だったよ」と回答した際の回答内容が記憶される。このとき、回答内容と回答内容を記憶した日時とが関連付けて記憶される構成になっていてもよい。
【００５３】
図２Ｂは、本実施形態における携帯端末の機能ブロック図の別の一例である。図２Ｂに示す本実施形態の携帯端末は、「計測部」（０２０１ｂ）と、「質問テーブル保持部」（０２０２ｂ）と、「質問出力部」（０２０３ｂ）と、「回答受付部」（０２０４ｂ）と、「記憶部」（０２０５ｂ）とを有し、「記憶部」は、「記憶手段」（０２０６ｂ）をさらに有する。
【００５４】
ここで、「計測部」（０２０１ｂ）と、「質問テーブル保持部」（０２０２ｂ）と、「質問出力部」（０２０３ｂ）と、「回答受付部」（０２０４ｂ）とは図２Ａを用いて説明した「計測部」（０２０１ａ）と、「質問テーブル保持部」（０２０２ａ）と、「質問出力部」（０２０３ａ）と、「回答受付部」（０２０４ａ）と同様であるので、ここでの説明は省略する。
【００５５】
「記憶手段」（０２０６ｂ）は、受付けた回答内容を計測結果と関連付けた回答テーブルとして記憶する機能を有する。図３Ｂに回答テーブルの一例を示した。回答テーブルには受付けた回答内容が計測結果と関連付けて記憶されている。例えば、「心拍数が１２０以上ですよ。大丈夫ですか？」という質問に対し、「○○岳の××ルートは僕には無理だったよ」と回答した際の回答内容が、そのときの計測結果である「心拍数：１２５」と関連付けて記憶される。
【００５６】
ここで、本実施例では、図３Ｂに回答テーブルとして、回答内容を計測結果と関連付ける例として、ペアで表示しているが、別に同一のテーブルに同時に記憶される必要はなく、それぞれ別々の記憶領域に格納されていて、それぞれの対応が取れる構成になっていれば良い。関連付ける意味としては、記憶させた計測結果あるいは、回答内容を、後で検索したときに、それぞれが対応つけられて検索可能になることが重要である。
【００５７】
つまり、受付けた回答内容を計測結果と関連付けた回答テーブルとして記憶する記憶手段は、回答内容と計測結果をそれぞれ別々に記憶していても良く、回答内容と計測結果とが対応可能な手段であれば良い。
【００５８】
<実施形態１：ハードウェア構成>図４は本実施形態に係る携帯端末の各構成要素をハードウェアとして表現した際の構成の一例を表す概略図である。
【００５９】
本実施形態の構成要素である各部の全部又は一部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置等で構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力等により各部の機能が実現される。（明細書の全体を通じて同様である。）
【００６０】
さらに具体的には、図４のようにコンピュータがＣＰＵ（０４０１）、一時記憶メモリ（ＲＡＭ）（０４０２）、ＲＯＭ（０４０３）、フラッシュメモリ（０４０４）、ＨＤＤ（０４０５）、ディスプレイ  Ｉ／Ｆ（０４０６）、ディスプレイ（０４０７）、音声処理  Ｉ／Ｆ（０４０８）、マイク（０４０９）、スピーカ（０４１０）、計測機器  Ｉ／Ｆ（０４１１）、計測機器（０４１２）等から構成されており、それらがシステムバス（０４１３）等のデータ通信経路によって相互に接続され、情報の送受信や処理を行なう。（実施形態１乃至８及び１５を通じて同様である。）
【００６１】
また、ＲＡＭ（０４０２）は、各種処理を行なうプログラムをＣＰＵに実行させるために読み出すと同時にそのプログラムのワーク領域を提供する。また、ＲＡＭ（０４０２）やＲＯＭ（０４０３）にはそれぞれ複数のメモリアドレスが割り当てられており、ＣＰＵ（０４０１）で実行されるプログラムは、そのメモリアドレスを特定しアクセスすることで相互にデータのやり取りを行い、処理を行なうことが可能になっている。（明細書の全体を通じて同様である。）
【００６２】
図４を利用して、本実施形態に係る携帯端末のハードウェア構成部の働きについて説明する。まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、ＲＯＭ等に保持されている質問テーブル及びＨＤＤ等に保持されている回答テーブルを読み出し、ＲＡＭの記憶データ領域に記憶、保持する。次に、質問出力プログラムを実行し、取得した計測結果が質問テーブルの活動量の条件を満たすかを判断する。この判断は、ＣＰＵの演算処理によってなされる。取得した計測結果が質問テーブルの活動量の条件を満たすとの判断であった場合には、該当する質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。そして、記憶プログラムを実行し、受付けた回答内容をＲＡＭの記憶データ領域に回答テーブルとして記憶、保持する。このとき、受付けた回答内容を計測結果と関連付けてＲＡＭの記憶データ領域に回答テーブルとして記憶、保持してもよい。さらに、本機能を終了させる際や定期的な時間毎に、ＲＡＭに一時的に記憶されていた回答テーブルをフラッシュメモリやＨＤＤ等に記憶するようにしても良い。
【００６３】
<実施形態１：処理の流れ>図５は、本実施形態に係る携帯端末の動作方法の処理の流れを示す一例である。最初に、ステップＳ０５０１において、質問出力回答受付機能を開始するとの携帯者の入力を受付けたかを判断する。入力を受付けない場合には入力があるまで待機する。また、入力を受付けた場合には、ステップＳ０５０２において、計測結果を取得する。次に、ステップＳ０５０３において、取得した計測結果が質問テーブルの活動量の条件を満たすかを判断する。ここでの判断が、質問テーブルの活動量の条件を満たすとの判断であった場合には、ステップＳ０５０４に進み、質問内容を取得する。そして、ステップＳ０５０５において質問を開始する旨の報知を行う。これは、ベルで知らせても良いし、特別のメロディーやバイブレーションにより知らせても良い。なお、本ステップは本実施形態において必須の構成要件ではない。次に、ステップＳ０５０６において、質問内容を出力する。次に、ステップＳ０５０７において携帯者からの回答を受付ける。次に、ステップＳ０５０８において受付けた回答内容を回答テーブルに記憶する。または、受付けた回答内容を計測結果に関連付けて回答テーブルに記憶しても良い。そして、ステップＳ０５０９のタイマー（ＴＩＭＥＲ）において、例えば、１時間の時間が経過するまで待機する。ここでタイマーを入れる理由は次の通りである。もし、質問テーブルに心拍数：１２０以上という活動量の条件があった場合、ここにタイマーが入っていないと、携帯者の心拍数が１２０以上である間は連続して「心拍数が１２０以上ですよ。大丈夫ですか？」という質問内容を出力してしまうからである。そして、ステップＳ０５１０において、本機能を終了するとの携帯者の入力を受付けたかを判断する。入力を受付けていない場合には、ステップＳ０５０２に戻り、以上の処理を繰り返す。なお、ステップＳ０５０３において、質問テーブルの活動量の条件を満たさないとの判断であった場合には、ステップＳ０５１０に進む。そして、本機能を終了するとの携帯者の入力を受付けていなければ、ステップＳ０５０２に戻り、携帯者の活動量の計測結果が質問テーブルの活動量の条件を満たす状態になるまでＳ０５０２及びステップＳ０５０３の処理を繰り返す。また、ステップＳ０５１０において、本機能を終了するとの携帯者の入力を受付けている場合には、ステップＳ０５０２には戻らずに、本機能を終了させる。
【００６４】
なお、図５のフロー図は、計算機に実行させるプログラムの処理フロー図とみなすことも可能である。さらに、このようなプログラムをＣＤやＩＣメモリ等の媒体に記録することも可能である。（明細書の全体を通じて同様である。）
【００６５】
<実施形態１：実装例>図６は、本実施形態の携帯端末が持つ各部を携帯電話に実装した例を示すものである。本実施形態に係る携帯電話は、通信を制御するための「通信制御部」（０６０１）と、無線による送受信のための「無線部」（０６０２）と、各種プログラムを保持するための「プログラムメモリ」（０６０３）と、ユーザからの操作を受付けるための「操作部」（０６０４）と、動画像又は／及び静止画像を撮像するために光学系、撮像系、映像信号生成系のサブユニットから構成される「主カメラ」（０６０５）と、比較的大きな画面を有する液晶ディスプレイ等からなる、情報を画面に表示するための「主表示部」（０６０６）と、比較的小さな画面を有する液晶ディスプレイ等からなる、情報を画面に表示するための「副表示部」（０６０７）と、振動を検知する「振動センサ」（０６０８）と、ＧＰＳシステムから送られる信号に基づいてＧＰＳ機能を実現する「ＧＰＳ機能部」（０６０９）と、携帯者の会話音声や回答音声を取得するための「マイク」（０６１０）と、通話相手の会話音声や質問音声、携帯電話から携帯者に対して情報を伝えるために用いられる「スピーカ」（０６１１）と、ＲＦＩＤの読取機能を有する「ＲＦＩＤリーダー」（０６１２）と、携帯者の回答音声等をマイクから取得し音声信号に変換したり、携帯電話からの質問音声信号等をスピーカから出力可能な形式の音声信号に変換したりする「音声処理部」（０６１３）と、携帯者からの回答音声等を録音する「音声録音部」（０６１４）と、近距離通信を行うための「近距離通信部」（０６１５）と、携帯電話の各機能部を制御するための「主制御部」（０６１６）と、通信のために赤外線を送出するための「Ｉｒ送信部」（０６１７）と、外部から送信される赤外線信号を受信するための「Ｉｒ受信部」（０６１８）と、利用者に対して各種告知を行なうためのＬＥＤ等から構成される「インジケータ」（０６１９）と、各種データを格納するための「メモリ」（０６２０）と、地図情報を格納するための「大容量メモリ」（０６２１）と、ユーザである携帯者の活動量を計測する「計測部」（０６２２）と、活動量と質問内容とを関連付けた質問テーブルを保持する「質問テーブル保持部」（０６２３）と、計測部での計測結果を取得して、計測結果に応じて質問テーブルから質問内容を取得して出力する「質問出力部」（０６２４）と、出力された質問内容に応じて回答を受付ける「回答受付部」（０６２５）と、受付けた回答内容を計測結果と関連付けた回答テーブルとして記憶する「記憶部」（０６２６）と、を有する。なお、「主制御部」（０６１６）は、ＣＰＵ、一時記憶メモリ（ＲＡＭ）、各種インタフェースを含む。また、「メモリ」（０６２０）としては、具体的には、フラッシュメモリ等が搭載されており、「番号プリセット」、「電話帳」、「メッセージプリセット」、「住所データ」、「メール履歴」、「電話履歴」、「位置情報」、「行動履歴」、「回答テーブル」等が保持されている。
【００６６】
さらに、図７に一般的な携帯電話の外観図を示した。図７（ａ）が正面図であり、（ｂ）が背面図である。一般的な携帯電話は、「スピーカ」（０７０１）、「サブカメラ」（０７０２）、「メイン表示」（０７０３）、「カーソルキー」（０７０４）、「決定キー」（０７０５）、「テンキー、＊、♯キー」（０７０６）、「サブ表示」（０７０７）、「メインカメラ」（０７０８）、「フラッシュ」（０７０９）等を有する。本実施形態は、一般的な携帯電話と同様の外観構成により実施可能である。
【００６７】
<実施形態１：効果>本実施形態に係る携帯端末によれば、携帯者の活動量情報に応じた質問をすることができ、その質問に対する回答やそのときの携帯者の気持ち等を携帯端末に記憶しておくことができる。また、質問を音声にて出力し、音声による回答する受付ける場合には、歩きながら使用することも容易である。よって、携帯者が運動をしているとき等には特に有用であり、携帯者の運動をする気持ちを増大させることもできる。さらに、記憶した回答内容は日記としても利用可能である。
<<実施形態２>>
【００６８】
<実施形態２：概要>本実施形態は、携帯者の活動量を計測しその測定結果及び現在時刻に応じた質問を携帯者に対して出力し、それに対する回答を受け付けて記憶することを特徴とする携帯端末について説明する。
【００６９】
<実施形態２：構成>本実施形態における携帯端末の機能ブロック図の一例を図８Ａおよび図８Ｂに示した。図８Ａに示す本実施形態の携帯端末は、「計測部」（０８０１ａ）と、「時計部」（０８０２ａ）と、「時刻依存質問テーブル保持部」（０８０３ａ）と、「時刻依存質問出力部」（０８０４ａ）と、「回答受付部」（０８０５ａ）と、「記憶部」（０８０６ａ）とを有する。
【００７０】
また、図８Ｂに示す本実施形態の携帯端末は、「計測部」（０８０１ｂ）と、「時計部」（０８０２ｂ）と、「時刻依存質問テーブル保持部」（０８０３ｂ）と、「時刻依存質問出力部」（０８０４ｂ）と、「回答受付部」（０８０５ｂ）と、「記憶部」（０８０６ｂ）とを有し、「記憶部」は「記憶手段」（０８０７ｂ）をさらに有する。
【００７１】
「計測部」（０８０１ａ、０８０１ｂ）と、「回答受付部」（０８０５ａ、０８０５ｂ）と、「記憶部」（０８０６ａ、０８０６ｂ）と、「記憶手段」（０８０７ｂ）と、は実施形態１と同様であるので、ここでの説明は省略する。
【００７２】
「時計部」（０８０２ａ、０８０２ｂ）は、現在時刻を計測する機能を有する。計測された現在時刻は、「時間依存質問出力部」（０８０４ａ、０８０４ｂ）にて利用される。
【００７３】
「時刻依存質問テーブル保持部」（０８０３ａ、０８０３ｂ）は、活動量及び時刻と質問内容とを関連付けた時刻依存質問テーブルを保持する機能を有する。図９に時間依存質問テーブルの一例を示した。ここで、活動量及び時刻とは「位置情報：Ｘ地区→Ｂ地区」で「２１：００−２４：００」、「１日の歩数：１歩〜１０歩」で「６：００−９：００」、「連続歩数：３０歩〜５０歩」で「１３：００−１４：００」、等である。例えば、活動量及び時刻が、「位置情報：Ｘ地区→Ｂ地区」で「２１：００−２４：００」の場合に関連付けられている質問内容とは、「夜道だけど大丈夫ですか？今日は何があったの？」という内容である。また、「１日の歩数：１歩〜１０歩」、「６：００−９：００」という活動量及び時刻に関連付けられている質問内容は、「今日も頑張って歩きましょう！今日はどんな予定ですか？」であり、「連続歩数：３０歩〜５０歩」、「１３：００−１４：００」という活動量及び時刻に関連付けられている質問内容は、「お昼は何を食べましたか？」である、という具合である。質問内容が活動量だけでなく、時刻とも関連付けられていることにより、適切でバリエーションに富んだ質問を出力することが可能である。
【００７４】
「時刻依存質問出力部」（０８０４ａ、０８０４ｂ）は、計測部での計測結果及び時計部で計測された現在時刻を取得して、計測結果及び現在時刻に応じて時刻依存質問テーブルから質問内容を取得して出力する機能を有する。例えば、計測部にて測定された活動量の計測結果が、「位置情報：Ｘ地区→Ｂ地区」であり、時計部にて計測された現在時刻が「２１：３２」であったとする。すると、時間依存質問出力部は、この計測結果及び現在時刻に応じて、時間依存出力テーブルから「夜道だけど大丈夫ですか？今日は何があったの？」という質問内容を取得して、出力する。なお、出力は音声によってなされても良いし、画面に文字を表示させても良い。
【００７５】
こうすることで、あたかも携帯電話で誰かと、話をしている感覚を得られ、夜道の帰宅を急ぐ女性にとっても心強い見方となる。さらに、特定の言葉を認識して、あらかじめ設定した電話先あるいは、メールアドレス宛に、緊急通報を電話あるいは、メールする緊急お知らせ機能も併せ持つとさらに、心強い機能となる。
【００７６】
<実施形態２：ハードウェア構成>図１０は本実施形態に係る携帯端末の各構成要素をハードウェアとして表現した際の構成の一例を表す概略図である。図１０を利用して、本実施形態に係る携帯端末のハードウェア構成部の働きについて説明する。
【００７７】
まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、時計プログラムを実行し、現在時刻を取得してＲＡＭの記憶データ領域に記憶、保持する。さらに、ＲＯＭ等に保持されている時間依存質問テーブル及びＨＤＤ等に保持されている回答テーブルを読み出し、ＲＡＭの記憶データ領域に記憶、保持する。次に、時刻依存質問出力プログラムを実行し、取得した計測結果及び現在時刻が質問テーブルの活動量及び時刻の条件を満たすかを判断する。この判断は、ＣＰＵの演算処理によってなされる。取得した計測結果及び現在時刻が質問テーブルの活動量及び時刻の条件を満たすとの判断であった場合には、該当する質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。そして、記憶プログラムを実行し、受付けた回答内容をＲＡＭの記憶データ領域に回答テーブルとして記憶、保持する。このとき、受付けた回答内容を計測結果と関連付けてＲＡＭの記憶データ領域に回答テーブルとして記憶、保持してもよい。さらに、本機能を終了させる際や定期的な時間毎に、ＲＡＭに一時的に記憶されていた回答テーブルをフラッシュメモリやＨＤＤ等に記憶するようにしても良い。
【００７８】
<実施形態２：処理の流れ>図１１は、本実施形態に係る携帯端末の動作方法の処理の流れを示す一例である。最初に、ステップＳ１１０１において、質問出力回答受付機能を開始するとの携帯者の入力を受付けたかを判断する。入力を受付けない場合には入力があるまで待機する。また、入力を受付けた場合には、ステップＳ１１０２において、計測結果を取得する。次に、ステップＳ１１０３において、現在時刻を取得する。次に、ステップＳ１１０４において、取得した計測結果及び現在時刻が時刻依存質問テーブルの活動量及び時刻の条件を満たすかを判断する。ここでの判断が、質問テーブルの活動量及び時刻の条件を満たすとの判断であった場合には、ステップＳ１１０５に進み、質問内容を取得する。次に、ステップＳ１１０６において、質問内容を出力する。次に、ステップＳ１１０７において携帯者からの回答を受付ける。次に、ステップＳ１１０８において受付けた回答内容を回答テーブルに記憶する。または、受付けた回答内容を計測結果に関連付けて回答テーブルに記憶しても良い。さらに、回答内容を計測結果及び現在時刻に関連付けて回答テーブルに記憶しても良い。そして、ステップＳ１１０９のタイマー（ＴＩＭＥＲ）において、例えば、１時間の時間が経過するまで待機する。そして、ステップＳ１１１０において、本機能を終了するとの携帯者の入力を受付けたかを判断する。入力を受付けていない場合には、ステップＳ１１０２に戻り、以上の処理を繰り返す。なお、ステップＳ１１０４において、時刻依存質問テーブルの活動量及び時刻の条件を満たさないとの判断であった場合には、ステップＳ１１１０に進む。そして、本機能を終了するとの携帯者の入力を受付けていなければ、ステップＳ１１０２に戻り、携帯者の活動量の計測結果及び現在時刻が時間依存質問テーブルの活動量及び時刻の条件を満たす状態になるまでＳ１１０２からステップＳ１１０４の処理を繰り返す。また、ステップＳ１１１０において、本機能を終了するとの携帯者の入力を受付けている場合には、ステップＳ１１０２には戻らずに、本機能を終了させる。ここで、Ｓ１１０４では、取得した計測結果及び現在時刻が質問テーブルの活動量及び時刻の条件を満たすとの判断をしていたが、もちろん、取得した計測結果あるいは、現在時刻が質問テーブルの活動量あるいは時刻の条件を満たすとの判断をしたときであっても、もちろんよいものとする。
【００７９】
<実施形態２：効果>本実施形態に係る携帯端末によれば、質問内容が活動量だけでなく、時刻とも関連付けられていることにより、適切でバリエーションに富んだ質問を出力することが可能である。
<<実施形態３>>
【００８０】
<実施形態３：概要>本実施形態は、携帯者の活動量を計測しその測定結果に応じた質問を予め定められたタイミングで携帯者に対して出力し、それに対する回答を受け付けて記憶することを特徴とする携帯端末について説明する。
【００８１】
<実施形態３：構成>本実施形態における携帯端末の機能ブロック図の一例を図１２に示した。図１２に示す本実施形態の携帯端末は、「計測部」（１２０１）と、「質問テーブル保持部」（１２０２）と、「質問出力部」（１２０３）と、「回答受付部」（１２０４）と、「記憶部」（１２０５）と、「タイミングテーブル保持部」（１２０７）と、「タイミング制御部」（１２０８）とを有し、「記憶部」は「記憶手段」（１２０６）をさらに有する。
【００８２】
「計測部」（１２０１）と、「質問テーブル保持部」（１２０２）と、「質問出力部」（１２０３）と、「回答受付部」（１２０４）と、「記憶部」（１２０５）と、「記憶手段」（１２０６）と、は実施形態１と同様であるので、ここでの説明は省略する。
【００８３】
「タイミングテーブル保持部」（１２０７）は、活動量と質問内容の出力タイミングとを関連付けたタイミングテーブルを保持する機能を有する。図１３の上段にタイミングテーブルの一例を示した。ここで、活動量とは、「位置情報：Ｘ地区→Ｃ地区」、「１日の歩数：２００００歩以上」、等である。例えば、活動量が、「位置情報：Ｘ地区→Ｃ地区」の場合に関連付けられている質問内容の出力タイミングとは、「その１時間後」である。「その１時間後」とは、「位置情報：Ｘ地区→Ｃ地区」を計測してから１時間後という意味である。また、「１日の歩数：２００００歩以上」という活動量に関連付けられている質問内容の出力タイミングとは、「その日の２２：００」である、という具合である。
【００８４】
「タイミング制御部」（１２０８）は、タイミングテーブルで示される質問内容の出力タイミングとなった場合に、質問出力部又は時間依存質問出力部に質問内容の出力をさせる制御をする機能を有する。図１３の下段に本実施形態に係る質問テーブルの一例を示した。例えば、「位置情報：Ｘ地区→Ｃ地区」を計測してから１時間が経過し、タイミングテーブルで示される質問内容の出力タイミングとなった場合には、質問出力部に「Ｃ地区では何をしましたか？」という質問内容を取得して出力をさせる制御をする。また、「１日の歩数：２００００歩以上」を計測した後、その日の２２：００になり、タイミングテーブルで示される質問内容の出力タイミングとなった場合には、質問出力部に「今日はよく歩きましたね。最近、体の調子はどうですか？」という質問内容を取得して出力をさせる制御をする、という具合である。これにより、特定の活動量の計測結果を得てから質問を出力するまでにタイムラグを設けることが可能である。また、その日の活動量の計測結果によって、携帯者が自宅に戻った頃に出力する適切な質問を選択すること等が可能である。
【００８５】
<実施形態３：ハードウェア構成>図１４は本実施形態に係る携帯端末の各構成要素をハードウェアとして表現した際の構成の一例を表す概略図である。図１４を利用して、本実施形態に係る携帯端末のハードウェア構成部の働きについて説明する。
【００８６】
まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、ＲＯＭ等に保持されている質問テーブル及びＨＤＤ等に保持されている回答テーブルを読み出し、ＲＡＭの記憶データ領域に記憶、保持する。次に、タイミング制御プログラムを実行し、取得した計測結果がタイミングテーブルの活動量の条件を満たすかを判断する。この判断は、ＣＰＵの演算処理によってなされる。ここでの判断が条件を満たすとの判断であった場合には、タイミングテーブルで示される質問内容の出力タイミングとなったときに、質問出力プログラムを実行し、取得した計測結果が質問テーブルの活動量の条件を満たす質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。そして、記憶プログラムを実行し、受付けた回答内容を計測結果と関連付けてＲＡＭの記憶データ領域に回答テーブルとして記憶、保持する。さらに、本機能を終了させる際や定期的な時間毎に、ＲＡＭに一時的に記憶されていた回答テーブルをフラッシュメモリやＨＤＤ等に記憶するようにしても良い。
【００８７】
<実施形態３：処理の流れ>図１５は、本実施形態に係る携帯端末の動作方法の処理の流れを示す一例である。最初に、ステップＳ１５０１において、質問出力回答受付機能を開始するとの携帯者の入力を受付けたかを判断する。入力を受付けない場合には入力があるまで待機する。また、入力を受付けた場合には、ステップＳ１５０２において、計測結果を取得する。次に、ステップＳ１５０３において、取得した計測結果がタイミングテーブルの活動量の条件を満たすかを判断する。ここでの判断が、タイミングテーブルの活動量の条件を満たすとの判断であった場合には、ステップＳ１５０４に進み、タイミングテーブルで示される質問内容の出力タイミングとなったかを判断する。そして、タイミングテーブルで示される質問内容の出力タイミングとなるまで待機する。タイミングテーブルで示される質問内容の出力タイミングとなったら、ステップＳ１５０５に進み、計測結果の条件を満たす質問内容を取得する。次にステップＳ１５０６において、質問内容を出力する。次に、ステップＳ１５０７において携帯者からの回答を受付ける。次に、ステップＳ１５０８において受付けた回答内容を計測結果に関連付けて回答テーブルに記憶する。そして、ステップＳ１５０９のタイマー（ＴＩＭＥＲ）において、例えば、１時間の時間が経過するまで待機する。そして、ステップＳ１５１０において、本機能を終了するとの携帯者の入力を受付けたかを判断する。入力を受付けていない場合には、ステップＳ１５０２に戻り、以上の処理を繰り返す。なお、ステップＳ１５０３において、タイミングテーブルの活動量の条件を満たさないとの判断であった場合には、ステップＳ１５１０に進む。そして、本機能を終了するとの携帯者の入力を受付けていなければ、ステップＳ１５０２に戻り、携帯者の活動量の計測結果がタイミングテーブルの活動量の条件を満たす状態になるまでＳ１５０２及びステップＳ１５０３の処理を繰り返す。また、ステップＳ１５１０において、本機能を終了するとの携帯者の入力を受付けている場合には、ステップＳ１５０２には戻らずに、本機能を終了させる。
【００８８】
<実施形態３：効果>本実施形態に係る携帯端末によれば、特定の活動量の計測結果を得てから質問を出力するまでにタイムラグを設けることが可能である。また、その日の活動量の計測結果によって、携帯者が自宅に戻った頃に出力する適切な質問を選択すること等が可能である。このような機能を設けることにより、携帯者に対する質問のバリエーションをより充実したものにすることができる。
<<実施形態４>>
【００８９】
<実施形態４：概要>本実施形態は、携帯者の活動量を計測しその測定結果に応じた質問を携帯者に対して出力し、それに対する回答を多種類のファイル形式にて複数個、受け付けて記憶することができる携帯端末について説明する。
【００９０】
<実施形態４：構成>本実施形態における携帯端末の機能ブロック図の一例を図１６に示した。図１６に示す本実施形態の携帯端末は、「計測部」（１６０１）と、「質問テーブル保持部」（１６０２）と、「質問出力部」（１６０３）と、「回答受付部」（１６０４）と、「記憶部」（１６０５）と、を有する。「回答受付部」は、「音声ファイル受付手段」（１６０７）と、「画像ファイル受付手段」（１６０８）と、「文字ファイル受付手段」（１６０９）と、のいずれか一以上をさらに有し、「記憶部」は、「記憶手段」（１６０６）と、「第一ファイル追加手段」（１６１０）と、をさらに有する。
【００９１】
「計測部」（１６０１）と、「質問テーブル保持部」（１６０２）と、「質問出力部」（１６０３）と、「回答受付部」（１６０４）と、「記憶部」（１６０５）と、「記憶手段」（１６０６）と、は実施形態１と同様であるので、ここでの説明は省略する。
【００９２】
「音声ファイル受付手段」（１６０７）は、出力された質問内容に応じて音声による回答を受付けて音声ファイルとして記憶、保持する機能を有する。
【００９３】
「画像ファイル受付手段」（１６０８）は、出力された質問内容に応じて画像による回答を受付けて画像ファイルとして記憶、保持する機能を有する。
【００９４】
「文字ファイル受付手段」（１６０９）は、出力された質問内容に応じて文字による回答を受付けて文字ファイルとして記憶、保持する機能を有する。
【００９５】
「第一ファイル追加手段」（１６１０）は、一の計測結果に対して複数の回答ファイルを関連付けする機能を有する。ここで、回答ファイルとは、音声ファイル、画像ファイル、文字ファイルのいずれかである。図１７は本実施形態に係るデータフォーマットの一例を示したものである。「歩数情報」という一の計測結果に対して、「音声ファイル１のＩＤ」、「画像ファイル１のＩＤ」、「音声ファイル２のＩＤ」といった複数の回答ファイルが関連付けられている。ここで、ファイルのＩＤとはファイルを一意に識別する識別子である。図１７のようにファイルのＩＤを関連付けて保持しておくことにより、目的のファイルを読み出すことが可能である。さらに、「位置情報」、「歩行開始日時」、「歩行終了日時」、「計測結果の取得日時」、「関連ファイル数」、等が関連付けて保持されていても良い。
【００９６】
<実施形態４：ハードウェア構成>図１８は本実施形態に係る携帯端末の各構成要素をハードウェアとして表現した際の構成の一例を表す概略図である。図１８を利用して、本実施形態に係る携帯端末のハードウェア構成部の働きについて説明する。
【００９７】
まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、ＲＯＭ等に保持されている質問テーブル及びＨＤＤ等に保持されている回答テーブルを読み出し、ＲＡＭの記憶データ領域に記憶、保持する。次に、質問出力プログラムを実行し、取得した計測結果が質問テーブルの活動量の条件を満たすかを判断する。この判断は、ＣＰＵの演算処理によってなされる。取得した計測結果が質問テーブルの活動量の条件を満たすとの判断であった場合には、該当する質問内容を取得し、音声処理  Ｉ／Ｆを介してスピーカから質問内容を出力する。そして、携帯者が音声による回答を選択した場合には、音声ファイル受付プログラムを実行し、音声処理  Ｉ／Ｆを介してマイクから携帯者の音声による回答を受付けるように命令を出す。受付けた回答内容は音声ファイルとしてＲＡＭの記憶データ領域に記憶、保持する。または、携帯者が画像による回答を選択した場合には、画像ファイル受付プログラムを実行し、カメラ  Ｉ／Ｆ（１８１５）を介して、携帯者がカメラ（１８１６）を利用できるようにカメラ機能を起動し、撮像された画像を回答として受付けるように命令を出す。または、携帯者が文字による回答を選択した場合には、文字ファイル受付プログラムを実行し、ユーザ  Ｉ／Ｆ（１８１４）を介して、文字入力による回答を受付けるように命令を出す。そして、記憶プログラムを実行し、音声ファイル等の形式で受付けた回答内容を計測結果と関連付けてＲＡＭの記憶データ領域に回答テーブルとして記憶、保持する。受付けた回答内容が複数目である場合には、第一ファイル追加プログラムを実行し、受付けた複数目の回答内容を計測結果と関連付けてＲＡＭの記憶データ領域に回答テーブルとして記憶、保持する。さらに、本機能を終了させる際や定期的な時間毎に、ＲＡＭに一時的に記憶されていた回答テーブルをフラッシュメモリやＨＤＤ等に記憶するようにしても良い。
【００９８】
<実施形態４：処理の流れ>図１９は、本実施形態に係る携帯端末の動作方法の処理の流れを示す一例である。最初に、ステップＳ１９０１において、質問出力回答受付機能を開始するとの携帯者の入力を受付けたかを判断する。入力を受付けない場合には入力があるまで待機する。また、入力を受付けた場合には、ステップＳ１９０２において、計測結果を取得する。次に、ステップＳ１９０３において、取得した計測結果が質問テーブルの活動量の条件を満たすかを判断する。ここでの判断が、質問テーブルの活動量の条件を満たすとの判断であった場合には、ステップＳ１９０４に進み、質問内容を取得する。次に、ステップＳ１９０５において、質問内容を出力する。次に、ステップＳ１９０６において携帯者からの音声、画像、文字のいずれかによる回答を受付ける。次に、ステップＳ１９０７において受付けた回答内容を計測結果に関連付けて回答テーブルに記憶する。次に、ステップＳ１９０８において、さらに記憶するかの判断を受付ける。ここで受付けた判断が、さらに記憶するとの判断であった場合には、Ｓ１９０６に戻り、携帯者からの音声、画像、文字のいずれかによる回答をさらに受付ける。そして、ステップＳ１９０７において新たな回答内容を計測結果に関連付けて記憶する。そして、ステップＳ１９０８において受付けた判断が、さらに記憶しないとの判断であった場合には、ステップＳ１９０９のタイマー（ＴＩＭＥＲ）において、例えば、１時間の時間が経過するまで待機する。そして、ステップＳ１９１０において、本機能を終了するとの携帯者の入力を受付けたかを判断する。入力を受付けていない場合には、ステップＳ１９０２に戻り、以上の処理を繰り返す。なお、ステップＳ１９０３において、質問テーブルの活動量の条件を満たさないとの判断であった場合には、ステップＳ１９１０に進む。そして、本機能を終了するとの携帯者の入力を受付けていなければ、ステップＳ１９０２に戻り、携帯者の活動量の計測結果が質問テーブルの活動量の条件を満たす状態になるまでＳ１９０２及びステップＳ１９０３の処理を繰り返す。また、ステップＳ１９１０において、本機能を終了するとの携帯者の入力を受付けている場合には、ステップＳ１９０２には戻らずに、本機能を終了させる。
【００９９】
<実施形態４：効果>本実施形態に係る携帯端末によれば、音声、画像、文字等の様々な手段によりその時の状況や気持ち等を活動量情報に関連付けて記憶することが可能である。
<<実施形態５>>
【０１００】
<実施形態５：概要>本実施形態は、携帯者の活動量を計測しその測定結果に応じた質問を携帯者に対して出力し、それに対する回答を受け付けて質問に関するキーワードと共に記憶することを特徴とする携帯端末について説明する。
【０１０１】
<実施形態５：構成>本実施形態における携帯端末の機能ブロック図の一例を図２０に示した。図２０に示す本実施形態の携帯端末は、「計測部」（２００１）と、「質問テーブル保持部」（２００２）と、「質問出力部」（２００３）と、「回答受付部」（２００４）と、「記憶部」（２００５）と、「キーワードテーブル保持部」（２００７）と、を有する。「記憶部」は、「記憶手段」（２００６）と、「第一キーワード記憶手段」（２００８）と、をさらに有する。
【０１０２】
「計測部」（２００１）と、「質問テーブル保持部」（２００２）と、「質問出力部」（２００３）と、「回答受付部」（２００４）と、「記憶部」（２００５）と、「記憶手段」（２００６）と、は実施形態１と同様であるので、ここでの説明は省略する。
【０１０３】
「キーワードテーブル保持部」（２００７）は、質問内容とキーワードとを関連付けたキーワードテーブルを保持する機能を有する。図２１にキーワードテーブルの一例を示した。質問内容とは、「心拍数が１２０以上ですよ。大丈夫ですか？」、「１００００歩、歩きました。今どこをどのように歩いていますか？」、「夜道だけど大丈夫ですか？今日は何があったの？」、等である。例えば、質問内容が、「心拍数が１２０以上ですよ。大丈夫ですか？」の場合に関連付けられているキーワードとは、「心拍数１２０」というキーワードである。また、「１００００歩、歩きました。今どこをどのように歩いていますか？」という質問内容には、「１００００歩」というキーワード、「夜道だけど大丈夫ですか？今日は何があったの？」という質問内容には、「夜道」というキーワードが関連付けられて保持されている、という具合である。
【０１０４】
「第一キーワード記憶手段」（２００８）は、回答テーブルに回答内容を得るために利用した質問内容に関連付けられているキーワードをキーワードテーブル保持部から取得して回答内容に関連付けて記憶する機能を有する。本実施形態における回答テーブルの一例を図２２に示した。図に示した通り、例えば、キーワードとして「心拍数１２０」、計測結果として「心拍数：１２５」、回答内容として「○○岳の××ルートは僕には無理だったよ」というデータが保持されている。キーワードを合わせて記憶しておくことにより、後に回答内容を検索することが容易になる。さらに、回答を受付けた日時等を合わせて記憶する構成であっても良い。
【０１０５】
<実施形態５：ハードウェア構成>図２３は本実施形態に係る携帯端末の各構成要素をハードウェアとして表現した際の構成の一例を表す概略図である。図２３を利用して、本実施形態に係る携帯端末のハードウェア構成部の働きについて説明する。
【０１０６】
まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、ＲＯＭ等に保持されている質問テーブル及びキーワードテーブルを読み出し、ＨＤＤ等に保持されている回答テーブルを読み出し、ＲＡＭの記憶データ領域に記憶、保持する。次に、質問出力プログラムを実行し、取得した計測結果が質問テーブルの活動量の条件を満たすかを判断する。この判断は、ＣＰＵの演算処理によってなされる。取得した計測結果が質問テーブルの活動量の条件を満たすとの判断であった場合には、該当する質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。また、第一キーワード記憶プログラムを実行し、キーワードテーブルから出力した質問内容に関連付けられているキーワードを取得する。そして、記憶プログラムを実行し、受付けた回答内容を計測結果とキーワードとに関連付けてＲＡＭの記憶データ領域に回答テーブルとして記憶、保持する。本機能を終了させる際や定期的な時間毎に、ＲＡＭに一時的に記憶されていた回答テーブルをフラッシュメモリやＨＤＤ等に記憶するようにしても良い。
【０１０７】
<実施形態５：処理の流れ>図２４は、本実施形態に係る携帯端末の動作方法の処理の流れを示す一例である。最初に、ステップＳ２４０１において、質問出力回答受付機能を開始するとの携帯者の入力を受付けたかを判断する。入力を受付けない場合には入力があるまで待機する。また、入力を受付けた場合には、ステップＳ２４０２において、計測結果を取得する。次に、ステップＳ２４０３において、取得した計測結果が質問テーブルの活動量の条件を満たすかを判断する。ここでの判断が、質問テーブルの活動量の条件を満たすとの判断であった場合には、ステップＳ２４０４に進み、質問内容を取得する。次に、ステップＳ２４０５において、キーワードテーブルから質問内容に関連付けられているキーワードを取得する。次に、ステップＳ２４０６において、質問内容を出力する。次に、ステップＳ２４０７において携帯者からの回答を受付ける。次に、ステップＳ２４０８において受付けた回答内容を計測結果とキーワードとに関連付けて回答テーブルに記憶する。そして、ステップＳ２４０９のタイマー（ＴＩＭＥＲ）において、例えば、１時間の時間が経過するまで待機する。そして、ステップＳ２４１０において、本機能を終了するとの携帯者の入力を受付けたかを判断する。入力を受付けていない場合には、ステップＳ２４０２に戻り、以上の処理を繰り返す。なお、ステップＳ２４０３において、質問テーブルの活動量の条件を満たさないとの判断であった場合には、ステップＳ２４１０に進む。そして、本機能を終了するとの携帯者の入力を受付けていなければ、ステップＳ２４０２に戻り、携帯者の活動量の計測結果が質問テーブルの活動量の条件を満たす状態になるまでＳ２４０２及びステップＳ２４０３の処理を繰り返す。また、ステップＳ２４１０において、本機能を終了するとの携帯者の入力を受付けている場合には、ステップＳ２４０２には戻らずに、本機能を終了させる。
【０１０８】
<実施形態５：効果>本実施形態に係る携帯端末によれば、回答内容を質問内容に関連付けられているキーワードと共に記憶するため、後に回答内容を検索することが容易になる。
<<実施形態６>>
【０１０９】
<実施形態６：概要>本実施形態は、携帯者の活動量を計測しその測定結果に応じた質問を携帯者に対して出力し、それに対する回答を受け付けて携帯者が指定したキーワードと共に記憶することを特徴とする携帯端末について説明する。
【０１１０】
<実施形態６：構成>本実施形態における携帯端末の機能ブロック図の一例を図２５に示した。図２５に示す本実施形態の携帯端末は、「計測部」（２５０１）と、「質問テーブル保持部」（２５０２）と、「質問出力部」（２５０３）と、「回答受付部」（２５０４）と、「記憶部」（２５０５）と、「キーワード受付部」（２５０７）と、を有する。「記憶部」は、「記憶手段」（２５０６）と、「第二キーワード記憶手段」（２５０８）と、をさらに有する。
【０１１１】
「計測部」（２５０１）と、「質問テーブル保持部」（２５０２）と、「質問出力部」（２５０３）と、「回答受付部」（２５０４）と、「記憶部」（２５０５）と、「記憶手段」（２５０６）と、は実施形態１と同様であるので、ここでの説明は省略する。
【０１１２】
「キーワード受付部」（２５０７）は、ユーザである携帯者から回答内容に関連付けてキーワードの入力を受け付ける機能を有する。携帯者から回答内容を受付ける前後に、携帯者からキーワードの入力を受付けることにより、回答内容に関連付けてキーワードを取得する。その一例を図２６に示した。例えば、（ａ）に示したように、携帯者が「キーワード、通勤。××駅出発ルートは上り坂が多くてダメだ。」と回答した場合には、キーワードという音声に続く「通勤」という音声をキーワードとして受付けて、その後に続く「××駅出発ルートは上り坂が多くてダメだ。」という音声を回答内容として受付ける。ここで、キーワードとして受付けた「通勤」という音声を既存の音声認識文字変換技術により「通勤」という文字に変換して受け付けられても良い。また、音声認識文字変換技術による音声から文字への変換が正しいが携帯者が確認するステップが含まれていても良い。また、（ｂ）に示したように、予め用意されたキーワードの中から携帯者が選択することによってキーワードの受付がなされても良い。
【０１１３】
「第二キーワード記憶手段」（２５０８）は、回答テーブルに回答内容に関連付けて入力されたキーワードをその回答内容に関連付けて記憶する機能を有する。図２７に本実施形態に係る回答テーブルの一例を示した。例えば、回答テーブルには、「Ｘ駅出発ルートは上り坂が多くてだめだ。」という回答内容に関連付けて、「通勤」というキーワード及び「位置情報：Ｘ地区→Ｄ地区」という計測結果が記憶されている。
【０１１４】
<実施形態６：ハードウェア構成>図２８は本実施形態に係る携帯端末の各構成要素をハードウェアとして表現した際の構成の一例を表す概略図である。図２８を利用して、本実施形態に係る携帯端末のハードウェア構成部の働きについて説明する。
【０１１５】
まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、ＲＯＭ等に保持されている質問テーブル及びキーワードテーブルを読み出し、ＨＤＤ等に保持されている回答テーブルを読み出し、ＲＡＭの記憶データ領域に記憶、保持する。次に、質問出力プログラムを実行し、取得した計測結果が質問テーブルの活動量の条件を満たすかを判断する。この判断は、ＣＰＵの演算処理によってなされる。取得した計測結果が質問テーブルの活動量の条件を満たすとの判断であった場合には、該当する質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。このとき、キーワード受付プログラムを併せて実行し、キーワードという音声に続く音声をキーワードとして取得する。そして、キーワードとして受付けた音声を音声認識文字変換技術により、文字に変換してＲＡＭの記憶データ領域に記憶、保持する。そして、記憶プログラムを実行し、受付けた回答内容を計測結果とキーワードとに関連付けてＲＡＭの記憶データ領域に回答テーブルとして記憶、保持する。本機能を終了させる際や定期的な時間毎に、ＲＡＭに一時的に記憶されていた回答テーブルをフラッシュメモリやＨＤＤ等に記憶するようにしても良い。もちろん、携帯者が、キーワードという音声に続く音声を発するのではなく、端末側が発する「キーワード」という出力に続けて、携帯者が入力する音声・画像・文字などをキーワードとしても、良い。
【０１１６】
<実施形態６：処理の流れ>図２９は、本実施形態に係る携帯端末の動作方法の処理の流れを示す一例である。最初に、ステップＳ２９０１において、質問出力回答受付機能を開始するとの携帯者の入力を受付けたかを判断する。入力を受付けない場合には入力があるまで待機する。また、入力を受付けた場合には、ステップＳ２９０２において、計測結果を取得する。次に、ステップＳ２９０３において、取得した計測結果が質問テーブルの活動量の条件を満たすかを判断する。ここでの判断が、質問テーブルの活動量の条件を満たすとの判断であった場合には、ステップＳ２９０４に進み、質問内容を取得する。次に、ステップＳ２９０５において、質問内容を出力する。次に、ステップＳ２９０６において、携帯者から回答内容に関連付けてキーワードの入力を受付ける。次に、ステップＳ２９０７において携帯者からの回答を受付ける。なお、ステップＳ２９０６とステップＳ２９０７の順番は逆であっても良い。次に、ステップＳ２９０８において受付けた回答内容を計測結果とキーワードとに関連付けて回答テーブルに記憶する。そして、ステップＳ２９０９のタイマー（ＴＩＭＥＲ）において、例えば、１時間の時間が経過するまで待機する。そして、ステップＳ２９１０において、本機能を終了するとの携帯者の入力を受付けたかを判断する。入力を受付けていない場合には、ステップＳ２９０２に戻り、以上の処理を繰り返す。なお、ステップＳ２９０３において、質問テーブルの活動量の条件を満たさないとの判断であった場合には、ステップＳ２９１０に進む。そして、本機能を終了するとの携帯者の入力を受付けていなければ、ステップＳ２９０２に戻り、携帯者の活動量の計測結果が質問テーブルの活動量の条件を満たす状態になるまでＳ２９０２及びステップＳ２９０３の処理を繰り返す。また、ステップＳ２９１０において、本機能を終了するとの携帯者の入力を受付けている場合には、ステップＳ２９０２には戻らずに、本機能を終了させる。
【０１１７】
<実施形態６：効果>本実施形態に係る携帯端末によれば、回答内容を携帯者によって入力されたキーワードと共に記憶するため、後に回答内容を検索することが容易になる。
<<実施形態７>>
【０１１８】
<実施形態７：概要>本実施形態は、携帯者の活動量を計測しその測定結果に応じた質問を携帯者に対して出力し、それに対する回答を受け付けてキーワードと関連付けて記憶することを特徴とし、回答に関連付けられているキーワードにより検索をすることで目的の回答を出力することができる携帯端末について説明する。
【０１１９】
<実施形態７：構成>本実施形態における携帯端末の機能ブロック図の一例を図３０に示した。図３０に示す本実施形態の携帯端末は、「計測部」（３００１）と、「質問テーブル保持部」（３００２）と、「質問出力部」（３００３）と、「回答受付部」（３００４）と、「記憶部」（３００５）と、「キーワードテーブル保持部」（３００７）と、「検索キーワード入力受付部」（３００９）と、「検索部」（３０１０）と、を有する。「記憶部」は、「記憶手段」（３００６）と、「第一キーワード記憶手段」（３００８）と、をさらに有する。
【０１２０】
「計測部」（３００１）と、「質問テーブル保持部」（３００２）と、「質問出力部」（３００３）と、「回答受付部」（３００４）と、「記憶部」（３００５）と、「記憶手段」（３００６）と、「キーワードテーブル保持部」（３００７）と、「第一キーワード記憶手段」（３００８）と、は実施形態１及び実施形態５と同様であるので、ここでの説明は省略する。
【０１２１】
「検索キーワード入力受付部」（３００９）は、検索キーワードの入力を受け付ける機能を有する。ここで、検索キーワードとは、「１００００歩」、「心拍数１２０」、「通勤」等である。図３１に検索キーワードを入力し回答内容を検索する一例を示した。まず、（ａ）に示したように、登録されているキーワードの中から携帯者が一のキーワードを選択する。ここでは、「１００００歩」というキーワードを選択したとする。すると、「検索部」（３００９）にて、キーワードが「１００００歩」である回答内容が検索される。そして、（ｂ）に示した画面に切り替わり、検索された回答内容に関連付けて記憶されている計測結果の取得日時が表示される。携帯者はこの中から所望の回答内容を選択し、回答内容を閲覧等することができる。
【０１２２】
「検索部」（３０１０）は、受付けた検索キーワードを利用して回答テーブルを検索する機能を有する。回答テーブルから受付けた検索キーワードがキーワードとして登録されている回答内容を抽出し、表示させることができる。
【０１２３】
<実施形態７：ハードウェア構成>図３２は本実施形態に係る携帯端末の各構成要素をハードウェアとして表現した際の構成の一例を表す概略図である。図３２を利用して、本実施形態に係る携帯端末のハードウェア構成部の働きについて説明する。なお、本実施形態においては、実施形態５又は６にて説明した通りに回答テーブルには回答内容がキーワードと関連付けて記憶されているものとする。
【０１２４】
まず、携帯者が本実施形態に係る携帯端末の回答内容検索機能を起動すると、検索キーワード入力受付プログラムを実行し、ユーザ  Ｉ／Ｆ（３２１４）等を介して、携帯者から検索キーワードを受付ける。次に、検索プログラムを実行し、回答テーブルの中から受付けた検索キーワードをキーワードとする回答内容を検索する。
【０１２５】
<実施形態７：処理の流れ>図３３は、本実施形態に係る携帯端末の動作方法の処理の流れを示す一例である。最初に、ステップＳ３３０１において、検索キーワードの入力を受付ける。次に、ステップＳ３３０２において、受付けた検索キーワードを利用して回答テーブルを検索する。次に、ステップＳ３３０３において、検索結果をリスト表示する。
【０１２６】
<実施形態７：効果>本実施形態に係る携帯端末によれば、出力したい回答内容を回答内容に関連付けて記憶されているキーワードにより検索することができる。これにより、携帯者は容易に出力したい回答内容を検索することができる。
<<実施形態８>>
【０１２７】
<実施形態８：概要>本実施形態は、携帯者の活動量を計測しその測定結果に応じた質問を携帯者に対して出力し、それに対する回答を受け付けてキーワードと関連付けて記憶することを特徴とし、さらに記憶されている回答内容を音声又は画面表示にて出力できる携帯端末について説明する。
【０１２８】
<実施形態８：構成>本実施形態における携帯端末の機能ブロック図の一例を図３４に示した。図３４に示す本実施形態の携帯端末は、「計測部」（３４０１）と、「質問テーブル保持部」（３４０２）と、「質問出力部」（３４０３）と、「回答受付部」（３４０４）と、「記憶部」（３４０５）と、「回答出力部」（３４０７）と、を有し、「記憶部」は「記憶手段」（３４０６）をさらに有する。
【０１２９】
「計測部」（３４０１）と、「質問テーブル保持部」（３４０２）と、「質問出力部」（３４０３）と、「回答受付部」（３４０４）と、「記憶部」（３４０５）と、「記憶手段」（３４０６）と、は実施形態１と同様であるので、ここでの説明は省略する。
【０１３０】
「回答出力部」（３４０７）は、記憶部にて回答テーブルとして記憶されている回答内容やそれに関連付けられた計測結果を音声又は画面表示にて出力する機能を有する。図３５に音声又は画面表示にて回答内容やそれに関連付けられた測定結果を出力する一例を示した。（ａ）に示したように画面表示によりキーワード、取得日時、計測結果、回答内容等を出力することや、（ｂ）に示したように、画面に表示された「再生」に該当するボタンを押すことにより、回答内容として記憶されている音声を再生する等の方法により回答内容やそれに関連付けられた測定結果等を出力できる。なお、検索機能を利用せずに、取得日時の順に並んでいる回答内容の中から所望の回答内容を選択して、音声又は画面表示にて出力しても良い。
【０１３１】
<実施形態８：ハードウェア構成>図３６は本実施形態に係る携帯端末の各構成要素をハードウェアとして表現した際の構成の一例を表す概略図である。図３６を利用して、本実施形態に係る携帯端末のハードウェア構成部の働きについて説明する。なお、本実施形態においては、実施形態５又は６にて説明した通りに回答テーブルには回答内容がキーワードと関連付けて記憶されているものとする。
【０１３２】
まず、携帯者が本実施形態に係る携帯端末の回答内容検索機能を起動すると、検索キーワード入力受付プログラムを実行し、ユーザ  Ｉ／Ｆ（３６１４）等を介して、携帯者から検索キーワードを受付ける。次に、検索プログラムを実行し、回答テーブルの中から受付けた検索キーワードをキーワードとする回答内容を検索し、ディスプレイ  Ｉ／Ｆを介してディスプレイ等に出力する。検索キーワードにより検索された回答内容からさらに所望の回答内容を検索は、回答内容の取得日時等を利用して行う。そして、回答出力プログラムを実行し、携帯者が指定した回答内容の出力を行う。これは、ディスプレイ  Ｉ／Ｆを介してディスプレイにキーワード、取得日時、計測結果、回答内容等を表示することによって行われる。又は、携帯者が指定した回答内容を音声処理  Ｉ／Ｆを介してスピーカ等から出力することによって行われる。
【０１３３】
<実施形態８：処理の流れ>図３７は、本実施形態に係る携帯端末の動作方法の処理の流れを示す一例である。最初に、ステップＳ３７０１において、検索キーワードの入力を受付ける。次に、ステップＳ３７０２において、受付けた検索キーワードを利用して回答テーブルを検索する。次に、ステップＳ３７０３において、検索結果を画面に表示する。次に、ステップＳ３７０４において、携帯者による一の回答内容の選択を受付ける。次に、ステップＳ３７０５において、携帯者によって選択された回答内容及びそれに関連付けられている計測結果等を音声又は画面表示により出力する。
【０１３４】
<実施形態８：効果>本実施形態に係る携帯端末によれば、記憶されている回答内容を音声又は画面表示により出力することができる。これにより、日記のように記憶されている回答内容を閲覧、視聴することができる。
<<実施形態９>>
【０１３５】
<実施形態９：概要>本実施形態は、コンテンツを取得しそのコンテンツ種別に応じた質問を携帯者に対して出力し、それに対する回答を受け付けて記憶することを特徴とする携帯端末について説明する。
【０１３６】
<実施形態９：構成>本実施形態における携帯端末の機能ブロック図の一例を図３８Ａおよび図３８Ｂに示した。図３８Ａに示す本実施形態の携帯端末は、「コンテンツ取得部」（３８０１ａ）と、「コンテンツ出力部」（３８０２ａ）と、「コンテンツ質問テーブル保持部」（３８０３ａ）と、「コンテンツ質問出力部」（３８０４ａ）と、「回答受付部」（３８０５ａ）と、「コンテンツ記憶部」（３８０６ａ）と、を有する。
【０１３７】
「回答受付部」（３８０５ａ）は、実施形態１と同様であるので、ここでの説明は省略する。
【０１３８】
「コンテンツ取得部」（３８０１ａ）は、コンテンツを取得する機能を有する。ここで、コンテンツとは、人間にとっての有意味情報である。例えば、メール、ニュース、天気情報、等である。コンテンツの取得は、無線部にて受信することにより行われる。また、コンテンツ取得部にて取得されたコンテンツのコンテンツ種別は、「コンテンツ質問出力部」（３８０４ａ）にて利用される。
【０１３９】
「コンテンツ出力部」（３８０２ａ）は、取得したコンテンツをユーザである携帯者に出力する機能を有する。コンテンツの出力は携帯者が受信したコンテンツを画面に表示させることにより閲覧することや、受信したコンテンツの内容を携帯端末に音声読み上げさせること等により行われる。
【０１４０】
「コンテンツ質問テーブル保持部」（３８０３ａ）は、コンテンツ種別と質問内容とを関連付けたコンテンツ質問テーブルを保持する機能を有する。図３９Ａの上段にコンテンツ質問テーブルの一例を示した。ここで、コンテンツ種別とは、「メール」、「ニュース」、「天気情報」等である。例えば、コンテンツ種別が、「メール」の場合に関連付けられている質問内容とは、「Ｂさんからメールですね。コミュニケーションは久しぶりですね？」という内容である。質問内容は、コンテンツの関連情報や内容を利用して作成されても良い。この場合の質問内容はメールの送信者がＢさんであるという情報及び送信者がＢさんのメールを１ヵ月前から今日まで本メールの他に受信していないという情報を利用して作成されている。また、「ニュース」というコンテンツ種別に関連付けられている質問内容は「衆議院解散だそうです。どう思いますか？」であり、この場合には、「衆議院解散」の部分にニュースのタイトルを埋め込んで質問内容が作成されている。さらに、「天気情報」というコンテンツ種別に関連付けられている質問内容は「今日は雪ですね？」であり、この場合には「雪」の部分にその日の天気を埋め込んで質問内容が作成されている、という具合である。実際には、一のコンテンツ種別に対して、複数の質問内容が用意されていることが望ましい。
【０１４１】
「コンテンツ質問出力部」（３８０４ａ）は、コンテンツの出力されたタイミングで、そのコンテンツ種別に応じた質問内容を取得して出力する機能を有する。例えば、携帯者によりメールというコンテンツが出力されたタイミングでメールに応じた質問内容である「Ｂさんからメールですね。コミュニケーションは久しぶりですね？」という質問内容をコンテンツ質問テーブルから取得して、出力する。出力は音声によってなされても良いし、画面に文字を表示させても良い。
【０１４２】
「コンテンツ記憶部」（３８０６ａ）は、受付けた回答内容をコンテンツ回答テーブルとして記憶する機能を有する。図３９Ａの下段にコンテンツ回答テーブルの一例を示した。コンテンツ回答テーブルには、受付けた回答内容が記憶されている。例えば、「Ｂさんからメールですね。コミュニケーションは久しぶりですね？」という質問に対し、「久しぶりのメールでうれしかったよ。」と回答した際の回答内容が記憶される。
【０１４３】
図３８Ｂは、本実施形態における携帯端末の機能ブロック図の別の一例である。図３８Ｂに示す本実施形態の携帯端末は、「コンテンツ取得部」（３８０１ｂ）と、「コンテンツ出力部」（３８０２ｂ）と、「コンテンツ質問テーブル保持部」（３８０３ｂ）と、「コンテンツ質問出力部」（３８０４ｂ）と、「回答受付部」（３８０５ｂ）と、「コンテンツ記憶部」（３８０６ｂ）と、を有し、「コンテンツ記憶部」は「コンテンツ記憶手段」（３８０７ｂ）をさらに有する。
【０１４４】
ここで、「コンテンツ取得部」（３８０１ｂ）と、「コンテンツ出力部」（３８０２ｂ）と、「コンテンツ質問テーブル保持部」（３８０３ｂ）と、「コンテンツ質問出力部」（３８０４ｂ）と、「回答受付部」（３８０５ｂ）とは図３８Ａを用いて説明した「コンテンツ取得部」（３８０１ａ）と、「コンテンツ出力部」（３８０２ａ）と、「コンテンツ質問テーブル保持部」（３８０３ａ）と、「コンテンツ質問出力部」（３８０４ａ）と、「回答受付部」（３８０５ａ）と、同様であるので、ここでの説明は省略する。
【０１４５】
「コンテンツ記憶手段」（３８０７ｂ）は、受付けた回答内容をコンテンツＩＤと関連付けたコンテンツ回答テーブルとして記憶する機能を有する。ここで、コンテンツＩＤとは、各コンテンツを一意に識別するための識別子である。図３９Ｂにコンテンツ回答テーブルの一例を示した。コンテンツ回答テーブルには、受付けた回答内容がコンテンツＩＤと関連付けて記憶されている。例えば、「Ｂさんからメールですね。コミュニケーションは久しぶりですね？」という質問に対し、「久しぶりのメールでうれしかったよ。」と回答した際の回答内容が、その質問内容に関連するコンテンツのコンテンツＩＤである「ｍａｉｌ０８０１２２」と関連付けて記憶される。
【０１４６】
<実施形態９：ハードウェア構成>図４０は本実施形態に係る携帯端末の各構成要素をハードウェアとして表現した際の構成の一例を表す概略図である。
【０１４７】
本実施形態の構成要素である各部の全部又は一部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置等で構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力等により各部の機能が実現される。（明細書の全体を通じて同様である。）
【０１４８】
さらに具体的には、図４０のようにコンピュータがＣＰＵ（４００１）、一時記憶メモリ（ＲＡＭ）（４００２）、ＲＯＭ（４００３）、フラッシュメモリ（４００４）、ＨＤＤ（４００５）、ディスプレイ  Ｉ／Ｆ（４００６）、ディスプレイ（４００７）、音声処理  Ｉ／Ｆ（４００８）、マイク（４００９）、スピーカ（４０１０）、通信  Ｉ／Ｆ（４０１１）、無線部（４０１２）、ユーザ  Ｉ／Ｆ（４０１３）等から構成されており、それらがシステムバス（４０１４）等のデータ通信経路によって相互に接続され、情報の送受信や処理を行なう。（実施形態９乃至１４を通じて同様である。）
【０１４９】
また、ＲＡＭ（４００２）は、各種処理を行なうプログラムをＣＰＵに実行させるために読み出すと同時にそのプログラムのワーク領域を提供する。また、ＲＡＭ（４００２）やＲＯＭ（４００３）にはそれぞれ複数のメモリアドレスが割り当てられており、ＣＰＵ（４００１）で実行されるプログラムは、そのメモリアドレスを特定しアクセスすることで相互にデータのやり取りを行い、処理を行なうことが可能になっている。（明細書の全体を通じて同様である。）
【０１５０】
図４０を利用して、本実施形態に係る携帯端末のハードウェア構成部の働きについて説明する。まず、コンテンツ取得プログラムを実行し、通信  Ｉ／Ｆを介して無線部からコンテンツを取得する。そして、コンテンツ出力プログラムを実行し、携帯者のキー操作をユーザ  Ｉ／Ｆを介して受付けて、携帯者のキー操作の通りにコンテンツを出力する。次に、ＲＯＭ等に保持されているコンテンツ質問テーブル及びＨＤＤ等に保持されているコンテンツ回答テーブルを読み出し、ＲＡＭの記憶データ領域に記憶、保持する。次に、コンテンツ質問出力プログラムを実行し、出力したコンテンツのコンテンツ種別を取得し、ＲＡＭの記憶データ領域に記憶、保持する。ここで、コンテンツ種別は、コンテンツの出力に利用されたコンテンツ出力プログラムの種別によって取得される。コンテンツの出力がメールを出力するためのコンテンツ出力プログラムによって出力された場合には、そのコンテンツはメールであると判断して、メールというコンテンツ種別を取得する。なお、コンテンツ取得プログラムの種別によって取得されても良い。例えば、メーラーが受付けた新規コンテンツであれば、メールというコンテンツ種別を取得するということである。そして、取得したコンテンツ種別に応じた質問内容を取得する。ここで、質問内容は、予め用意されているテンプレートにニュースのタイトル等を埋め込み合成して作成されても良い。そして、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。そして、コンテンツ記憶プログラムを実行し、受付けた回答内容をＲＡＭの記憶データ領域にコンテンツ回答テーブルとして記憶、保持する。このとき、受付けた回答内容を計測結果と関連付けてＲＡＭの記憶データ領域にコンテンツ回答テーブルとして記憶、保持しても良い。さらに、本機能を終了させる際や定期的な時間毎に、ＲＡＭに一時的に記憶されていたコンテンツ回答テーブルをフラッシュメモリやＨＤＤ等に記憶するようにしても良い。
【０１５１】
<実施形態９：処理の流れ>図４１は、本実施形態に係る携帯端末の動作方法の処理の流れを示す一例である。最初に、ステップＳ４１０１において、コンテンツを取得する。次に、ステップＳ４１０２においてコンテンツを出力する。次に、ステップＳ４１０３においてコンテンツ種別に応じた質問内容を取得する。次に、ステップＳ４１０４において取得した質問内容を出力する。次に、ステップＳ４１０５において、携帯者からの回答を受付ける。次に、ステップＳ４１０６において、回答内容をコンテンツ回答テーブルに記憶する。または、回答内容をコンテンツＩＤに関連付けてコンテンツ回答テーブルに記憶してもよい。
【０１５２】
<実施形態９：効果>本実施形態に係る携帯端末によれば、携帯端末により受信したコンテンツの内容に応じた質問をすることができ、そのコンテンツ内容に対する回答やそのときの携帯者の気持ち等を携帯端末に記憶しておくことができる。また、質問を音声にて出力し、音声による回答する受付ける場合には、歩きながら使用することできる。さらに、記憶した回答内容は日記としても利用可能である。
<<実施形態１０>>
【０１５３】
<実施形態１０：概要>本実施形態は、コンテンツを取得しそのコンテンツ種別に応じた質問を携帯者に対して出力し、それに対する回答を多種類のファイル形式にて複数個、受け付けて記憶することができる携帯端末について説明する。
【０１５４】
<実施形態１０：構成>本実施形態における携帯端末の機能ブロック図の一例を図４２に示した。図４２に示す本実施形態の携帯端末は、「コンテンツ取得部」（４２０１）と、「コンテンツ出力部」（４２０２）と、「コンテンツ質問テーブル保持部」（４２０３）と、「コンテンツ質問出力部」（４２０４）と、「回答受付部」（４２０５）と、「コンテンツ記憶部」（４２０６）と、を有する。「回答受付部」（４２０４）は、「音声ファイル受付手段」（４２０８）と、「画像ファイル受付手段」（４２０９）と、「文字ファイル受付手段」（４２１０）と、のいずれか一以上をさらに有し、「コンテンツ記憶部」（４２０６）は、「コンテンツ記憶手段」（４２０７）と、「第二ファイル追加手段」（４２１１）をさらに有する。
【０１５５】
「コンテンツ取得部」（４２０１）と、「コンテンツ出力部」（４２０２）と、「コンテンツ質問テーブル保持部」（４２０３）と、「コンテンツ質問出力部」（４２０４）と、「回答受付部」（４２０５）と、「コンテンツ記憶部」（４２０６）と、「コンテンツ記憶手段」（４２０７）と、「音声ファイル受付手段」（４２０８）と、「画像ファイル受付手段」（４２０９）と、「文字ファイル受付手段」（４２１０）と、は実施形態１、４、９と同様であるので、ここでの説明は省略する。
【０１５６】
「第二ファイル追加手段」（４２１１）は、一のコンテンツＩＤに対して複数の回答ファイルを関連付けする機能を有する。ここで、回答ファイルとは、音声ファイル、画像ファイル、文字ファイルのいずれかである。図４３は本実施形態に係るデータフォーマットを示したものである。一の「コンテンツＩＤ」に対して、「音声ファイル１のＩＤ」、「画像ファイル１のＩＤ」、「音声ファイル２のＩＤ」といった複数の回答ファイルが関連付けられている。ここで、ファイルのＩＤとはファイルを一意に識別する識別子である。図４３のようにファイルのＩＤを関連付けて保持しておくことにより、目的のファイルを読みだすことが可能である。さらに、「コンテンツ種別」、「コンテンツ内容」、「コンテンツ取得日時」、「関連ファイル数」、等が関連付けて保持されていても良い。
【０１５７】
<実施形態１０：ハードウェア構成>図４４は本実施形態に係る携帯端末の各構成要素をハードウェアとして表現した際の構成の一例を表す概略図である。図４４を利用して、本実施形態に係る携帯端末のハードウェア構成部の働きについて説明する。
【０１５８】
まず、コンテンツ取得プログラムを実行し、通信  Ｉ／Ｆを介して無線部からコンテンツを取得する。そして、コンテンツ出力プログラムを実行し、携帯者のキー操作をユーザ  Ｉ／Ｆを介して受付けて、携帯者のキー操作の通りにコンテンツを出力する。次に、ＲＯＭ等に保持されているコンテンツ質問テーブル及びＨＤＤ等に保持されているコンテンツ回答テーブルを読み出し、ＲＡＭの記憶データ領域に記憶、保持する。次に、コンテンツ質問出力プログラムを実行し、出力したコンテンツのコンテンツ種別を取得し、ＲＡＭの記憶データ領域に記憶、保持する。そして、取得したコンテンツ種別に応じた質問内容を取得し、音声処理  Ｉ／Ｆを介してスピーカから質問内容を出力する。そして、携帯者が音声による回答を選択した場合には、音声ファイル受付プログラムを実行し、音声処理  Ｉ／Ｆを介してマイクから携帯者の音声による回答を受付けるように命令を出す。受付けた回答内容は音声ファイルとしてＲＡＭの記憶データ領域に記憶、保持する。または、携帯者が画像による回答を選択した場合には、画像ファイル受付プログラムを実行し、携帯者が選択したニュースに添付されている画像等を回答として受付けるように命令を出す。または、携帯者が文字による回答を選択した場合には、文字ファイル受付プログラムを実行し、ユーザ  Ｉ／Ｆを介して、文字入力による回答を受付けるように命令を出す。そして、コンテンツ記憶プログラムを実行し、音声ファイル等の形式で受付けた回答内容を計測結果と関連付けてＲＡＭの記憶データ領域にコンテンツ回答テーブルとして記憶、保持する。受付けた回答内容が複数目である場合には、第二ファイル追加プログラムを実行し、受付けた複数目の回答内容をコンテンツＩＤと関連付けてＲＡＭの記憶データ領域にコンテンツ回答テーブルとして記憶、保持する。さらに、本機能を終了させる際や定期的な時間毎に、ＲＡＭに一時的に記憶されていたコンテンツ回答テーブルをフラッシュメモリやＨＤＤ等に記憶するようにしても良い。
【０１５９】
<実施形態１０：処理の流れ>図４５は、本実施形態に係る携帯端末の動作方法の処理の流れを示す一例である。最初に、ステップＳ４５０１において、コンテンツを取得する。次に、ステップＳ４５０２においてコンテンツを出力する。次に、ステップＳ４５０３においてコンテンツ種別に応じた質問内容を取得する。次に、ステップＳ４５０４において取得した質問内容を出力する。次に、ステップＳ４５０５において、携帯者からの回答を受付ける。次に、ステップＳ４５０６において、回答内容をコンテンツＩＤに関連付けてコンテンツ回答テーブルに記憶する。次に、ステップＳ４５０７において、さらに記憶するかの判断を受付ける。ここで受付けた判断が、さらに記憶するとの判断であった場合には、Ｓ４５０５に戻り、携帯者からの音声、画像、文字のいずれかによる回答をさらに受付ける。そして、ステップＳ４５０６において新たな回答内容を計測結果に関連付けて記憶する。ステップＳ４５０７において受付けた判断が、さらに記憶しないとの判断であった場合には、処理を終了する。
【０１６０】
<実施形態１０：効果>本実施形態に係る携帯端末によれば、音声、画像、文字等の様々な手段によりそのコンテンツの内容に対する感想等をコンテンツＩＤに関連付けて記憶することが可能である。
<<実施形態１１>>
【０１６１】
<実施形態１１：概要>本実施形態は、コンテンツを取得しそのコンテンツ種別に応じた質問を携帯者に対して出力し、それに対する回答を受け付けて質問に関するキーワードと共に記憶することを特徴とする携帯端末について説明する。
【０１６２】
<実施形態１１：構成>本実施形態における携帯端末の機能ブロック図の一例を図４６に示した。図４６に示す本実施形態の携帯端末は、「コンテンツ取得部」（４６０１）と、「コンテンツ出力部」（４６０２）と、「コンテンツ質問テーブル保持部」（４６０３）と、「コンテンツ質問出力部」（４６０４）と、「回答受付部」（４６０５）と、「コンテンツ記憶部」（４６０６）と、「キーワードテーブル保持部」（４６０８）と、を有する。「コンテンツ記憶部」は、「コンテンツ記憶手段」（４６０７）と、「第三キーワード記憶手段」（４６０９）と、をさらに有する。
【０１６３】
「コンテンツ取得部」（４６０１）と、「コンテンツ出力部」（４６０２）と、「コンテンツ質問テーブル保持部」（４６０３）と、「コンテンツ質問出力部」（４６０４）と、「回答受付部」（４６０５）と、「コンテンツ記憶部」（４６０６）と、「コンテンツ記憶手段」（４６０７）と、は実施形態１、９と同様であるので、ここでの説明は省略する。
【０１６４】
「キーワードテーブル保持部」（４６０８）は、質問内容とキーワードとを関連付けたキーワードテーブルを保持する機能を有する。図４７にキーワードテーブルの一例を示した。質問内容とは、「Ｂさんからメールですね。コミュニケーションは久しぶりですね？」、「衆議院解散だそうです。どう思いますか？」、「今日は雪ですね？」等である。例えば、質問内容が、「Ｂさんからメールですね。コミュニケーションは久しぶりですね？」の場合に関連付けられたキーワードとは、「Ｂさん」というキーワードである。また、「衆議院解散だそうです。どう思いますか？」という質問内容にはそのニュースの属するカテゴリー名である「衆議院解散」というキーワード、「今日は雪ですね？」という質問内容には「雪」というキーワードが関連付けられて保持されている、という具合である。この例においては、質問内容を作成する際に、定型文にあてはめられた言葉をキーワードとしているということもできる。
【０１６５】
「第三キーワード記憶手段」（４６０９）は、コンテンツ回答テーブルに回答内容を得るために利用した質問内容に関連付けられているキーワードをキーワードテーブル保持部から取得して回答内容に関連付けて記憶する機能を有する。本実施形態におけるコンテンツ回答テーブルの一例を図４８に示した。図に示した通り、例えば、キーワードとして「大学の友人」、コンテンツＩＤとして「ｍａｉｌ０８０１２２」、回答内容として「久しぶりのメールでうれしかったよ。」というデータが保持されている。キーワードを合わせて記憶しておくことにより、後に回答内容を検索することが容易になる。さらに、回答を受付けた日時等を合わせて記憶する構成であっても良い。
【０１６６】
<実施形態１１：ハードウェア構成>図４９は本実施形態に係る携帯端末の各構成要素をハードウェアとして表現した際の構成の一例を表す概略図である。図４９を利用して、本実施形態に係る携帯端末のハードウェア構成部の働きについて説明する。
【０１６７】
図４９を利用して、本実施形態に係る携帯端末のハードウェア構成部の働きについて説明する。まず、コンテンツ取得プログラムを実行し、通信  Ｉ／Ｆを介して無線部からコンテンツを取得する。そして、コンテンツ出力プログラムを実行し、携帯者のキー操作をユーザ  Ｉ／Ｆを介して受付けて、携帯者のキー操作の通りにコンテンツを出力する。次に、ＲＯＭ等に保持されているコンテンツ質問テーブル及びキーワードテーブルを読み出し、ＨＤＤ等に保持されているコンテンツ回答テーブルを読み出し、ＲＡＭの記憶データ領域に記憶、保持する。次に、コンテンツ質問出力プログラムを実行し、出力したコンテンツのコンテンツ種別を取得し、ＲＡＭの記憶データ領域に記憶、保持する。そして、取得したコンテンツ種別に応じた質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。また、第三キーワード記憶プログラムを実行し、キーワードテーブルから出力した質問内容に関連付けられているキーワードを取得する。そして、コンテンツ記憶プログラムを実行し、受付けた回答内容を計測結果と関連付けてＲＡＭの記憶データ領域にコンテンツ回答テーブルとして記憶、保持する。さらに、本機能を終了させる際や定期的な時間毎に、ＲＡＭに一時的に記憶されていたコンテンツ回答テーブルをフラッシュメモリやＨＤＤ等に記憶するようにしても良い。
【０１６８】
<実施形態１１：処理の流れ>図５０は、本実施形態に係る携帯端末の動作方法の処理の流れを示す一例である。最初に、ステップＳ５００１において、コンテンツを取得する。次に、ステップＳ５００２においてコンテンツを出力する。次に、ステップＳ５００３においてコンテンツ種別に応じた質問内容を取得する。次に、ステップＳ５００４において、キーワードテーブルから質問内容に関連付けられているキーワードを取得する。次に、ステップＳ５００５において取得した質問内容を出力する。次に、ステップＳ５００６において、携帯者からの回答を受付ける。次に、ステップＳ５００７において、回答内容をコンテンツＩＤとキーワードとに関連付けてコンテンツ回答テーブルに記憶する。
【０１６９】
<実施形態１１：効果>本実施形態に係る携帯端末によれば、回答内容を質問内容に関連付けられているキーワードと共に記憶するため、後に回答内容を検索することが容易になる。
<<実施形態１２>>
【０１７０】
<実施形態１２：概要>本実施形態は、コンテンツを取得しそのコンテンツ種別に応じた質問を携帯者に対して出力し、それに対する回答を受け付けて携帯者が指定したキーワードと共に記憶することを特徴とする携帯端末について説明する。
【０１７１】
<実施形態１２：構成>本実施形態における携帯端末の機能ブロック図の一例を図５１に示した。図５１に示す本実施形態の携帯端末は、「コンテンツ取得部」（５１０１）と、「コンテンツ出力部」（５１０２）と、「コンテンツ質問テーブル保持部」（５１０３）と、「コンテンツ質問出力部」（５１０４）と、「回答受付部」（５１０５）と、「コンテンツ記憶部」（５１０６）と、「キーワード受付部」（５１０８）と、を有する。「コンテンツ記憶部」は、「コンテンツ記憶手段」（５１０７）と、「第四キーワード記憶手段」（５１０９）をさらに有する。
【０１７２】
「コンテンツ取得部」（５１０１）と、「コンテンツ出力部」（５１０２）と、「コンテンツ質問テーブル保持部」（５１０３）と、「コンテンツ質問出力部」（５１０４）と、「回答受付部」（５１０５）と、「コンテンツ記憶部」（５１０６）と、「コンテンツ記憶手段」（５１０７）と、「キーワード受付部」（５１０８）と、は実施形態１、６、９と同様であるので、ここでの説明は省略する。
【０１７３】
「第四キーワード記憶手段」（５１０９）は、回答テーブルに回答内容に関連付けて入力されたキーワードをその回答内容に関連付けて記憶する機能を有する。図５２に本実施形態に係るコンテンツ回答テーブルの一例を示した。例えば、コンテンツ回答テーブルには、「久しぶりのメールでうれしかったよ。」という回答内容に関連付けて、「大学の友人」というキーワード及び「ｍａｉｌ０８０１２２」というコンテンツＩＤが記憶されている。
【０１７４】
<実施形態１２：ハードウェア構成>図５３は本実施形態に係る携帯端末の各構成要素をハードウェアとして表現した際の構成の一例を表す概略図である。図５３を利用して、本実施形態に係る携帯端末のハードウェア構成部の働きについて説明する。
【０１７５】
図５３を利用して、本実施形態に係る携帯端末のハードウェア構成部の働きについて説明する。まず、コンテンツ取得プログラムを実行し、通信  Ｉ／Ｆを介して無線部からコンテンツを取得する。そして、コンテンツ出力プログラムを実行し、携帯者のキー操作をユーザ  Ｉ／Ｆを介して受付けて、携帯者のキー操作の通りにコンテンツを出力する。次に、ＲＯＭ等に保持されているコンテンツ質問テーブル及びＨＤＤ等に保持されているコンテンツ回答テーブルを読み出し、ＲＡＭの記憶データ領域に記憶、保持する。次に、コンテンツ質問出力プログラムを実行し、出力したコンテンツのコンテンツ種別を取得し、ＲＡＭの記憶データ領域に記憶、保持する。そして、取得したコンテンツ種別に応じた質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。このとき、キーワード受付プログラム併せて実行し、キーワードという音声に続く音声をキーワードとして取得する。そして、キーワードとして受付けた音声を音声認識文字変換技術により、文字に変換してＲＡＭの記憶データ領域に記憶、保持する。そして、コンテンツ記憶プログラムを実行し、受付けた回答内容を計測結果とキーワードとに関連付けてＲＡＭの記憶データ領域にコンテンツ回答テーブルとして記憶、保持する。さらに、本機能を終了させる際や定期的な時間毎に、ＲＡＭに一時的に記憶されていたコンテンツ回答テーブルをフラッシュメモリやＨＤＤ等に記憶するようにしても良い。
【０１７６】
<実施形態１２：処理の流れ>図５４は、本実施形態に係る携帯端末の動作方法の処理の流れを示す一例である。最初に、ステップＳ５４０１において、コンテンツを取得する。次に、ステップＳ５４０２においてコンテンツを出力する。次に、ステップＳ５４０３においてコンテンツ種別に応じた質問内容を取得する。次に、ステップＳ５４０４において取得した質問内容を出力する。次に、ステップＳ５４０５において、携帯者から回答内容に関連付けてキーワードの入力を受付ける。次に、ステップＳ５４０６において、携帯者からの回答を受付ける。なお、ステップＳ５４０５とステップＳ５４０６の順番は逆であっても良い。次に、ステップＳ５４０７において、回答内容をコンテンツＩＤとキーワードとに関連付けてコンテンツ回答テーブルに記憶する。
【０１７７】
<実施形態１２：効果>本実施形態に係る携帯端末によれば、回答内容を携帯者によって入力されたキーワードと共に記憶するため、後に回答内容を検索することが容易になる。
<<実施形態１３>>
【０１７８】
<実施形態１３：概要>本実施形態は、コンテンツを取得しそのコンテンツ種別に応じた質問を携帯者に対して出力し、それに対する回答を受け付けてキーワードと関連付けて記憶することを特徴とし、回答に関連付けられているキーワードにより検索することで目的の回答を出力することができる携帯端末について説明する。
【０１７９】
<実施形態１３：構成>本実施形態における携帯端末の機能ブロック図の一例を図５５に示した。図５５に示す本実施形態の携帯端末は、「コンテンツ取得部」（５５０１）と、「コンテンツ出力部」（５５０２）と、「コンテンツ質問テーブル保持部」（５５０３）と、「コンテンツ質問出力部」（５５０４）と、「回答受付部」（５５０５）と、「コンテンツ記憶部」（５５０６）と、「キーワードテーブル保持部」（５５０８）と、「検索キーワード入力受付部」（５５１０）と、「コンテンツ検索部」（５５１１）と、を有する。「コンテンツ記憶部」は、「コンテンツ記憶手段」（５５０７）と、「第三キーワード記憶手段」（５５０９）と、をさらに有する。
【０１８０】
「コンテンツ取得部」（５５０１）と、「コンテンツ出力部」（５５０２）と、「コンテンツ質問テーブル保持部」（５５０３）と、「コンテンツ質問出力部」（５５０４）と、「回答受付部」（５５０５）と、「コンテンツ記憶部」（５５０６）と、「コンテンツ記憶手段」（５５０７）と、「キーワードテーブル保持部」（５５０８）と、「第三キーワード記憶手段」（５５０９）と、「検索キーワード入力受付部」（５５１０）と、は実施形態１、７、９、１１と同様であるので、ここでの説明は省略する。
【０１８１】
「コンテンツ検索部」（５５１１）は、受付けた検索キーワードを利用してコンテンツ回答テーブルを検索する機能を有する。コンテンツ回答テーブルから受付けた検索キーワードがキーワードとして登録されている回答内容を抽出し、表示させることができる。
【０１８２】
<実施形態１３：ハードウェア構成>図５６は本実施形態に係る携帯端末の各構成要素をハードウェアとして表現した際の構成の一例を表す概略図である。図５６を利用して、本実施形態に係る携帯端末のハードウェア構成部の働きについて説明する。なお、本実施形態においては、実施形態１１又は１２にて説明した通りにコンテンツ回答テーブルには回答内容がキーワードと関連付けて記憶されているものとする。
【０１８３】
まず、携帯者が本実施形態に係る携帯端末の回答内容検索機能を起動すると、検索キーワード入力受付プログラムを実行し、ユーザ  Ｉ／Ｆ等を介して、携帯者から検索キーワードを受付ける。次に、コンテンツ検索プログラムを実行し、コンテンツ回答テーブルの中から受付けた検索キーワードをキーワードとする回答内容を検索する。
【０１８４】
<実施形態１３：処理の流れ>図５７は、本実施形態に係る携帯端末の動作方法の処理の流れを示す一例である。最初に、ステップＳ５７０１において、検索キーワードの入力を受付ける。次に、ステップＳ５７０２において、受付けた検索キーワードを利用してコンテンツ回答テーブルを検索する。次に、ステップＳ５７０３において、検索結果をリスト表示する。
【０１８５】
<実施形態１３：効果>本実施形態に係る携帯端末によれば、出力したい回答内容を回答内容に関連付けて記憶されているキーワードにより検索することができる。これにより、携帯者は容易に出力したい回答内容を検索することができる。
<<実施形態１４>>
【０１８６】
<実施形態１４：概要>本実施形態は、コンテンツを取得しそのコンテンツ種別に応じた質問を携帯者に対して出力し、それに対する回答を受け付けてキーワードと関連付けて記憶することを特徴とし、さらに記憶されている回答内容を音声又は画面表示にて出力できる携帯端末について説明する。
【０１８７】
<実施形態１４：構成>本実施形態における携帯端末の機能ブロック図の一例を図５８に示した。図５８に示す本実施形態の携帯端末は、「コンテンツ取得部」（５８０１）と、「コンテンツ出力部」（５８０２）と、「コンテンツ質問テーブル保持部」（５８０３）と、「コンテンツ質問出力部」（５８０４）と、「回答受付部」（５８０５）と、「コンテンツ記憶部」（５８０６）と、「コンテンツ回答出力部」（５８０８）を有する。「コンテンツ記憶部」は、「コンテンツ記憶手段」（５８０７）をさらに有する。
【０１８８】
「コンテンツ取得部」（５８０１）と、「コンテンツ出力部」（５８０２）と、「コンテンツ質問テーブル保持部」（５８０３）と、「コンテンツ質問出力部」（５８０４）と、「回答受付部」（５８０５）と、「コンテンツ記憶部」（５８０６）と、「コンテンツ記憶手段」（５８０７）と、は実施形態１、９と同様であるので、ここでの説明は省略する。
【０１８９】
「コンテンツ回答出力部」（５８０８）は、コンテンツ記憶部にてコンテンツ回答テーブルとして記憶されている回答内容やそれに関連付けられたコンテンツＩＤを音声又は画面表示にて出力する機能を有する。具体的な出力態様は図３５を用いて説明したものと同様である。
【０１９０】
<実施形態１４：ハードウェア構成>図５９は本実施形態に係る携帯端末の各構成要素をハードウェアとして表現した際の構成の一例を表す概略図である。図５９を利用して、本実施形態に係る携帯端末のハードウェア構成部の働きについて説明する。なお、本実施形態においては、実施形態１１又は１２にて説明した通りにコンテンツ回答テーブルには回答内容がキーワードと関連付けて記憶されているものとする。
【０１９１】
まず、携帯者が本実施形態に係る携帯端末の回答内容検索機能を起動すると、検索キーワード入力受付プログラムを実行し、ユーザ  Ｉ／Ｆ等を介して、携帯者から検索キーワードを受付ける。次に、コンテンツ検索プログラムを実行し、コンテンツ回答テーブルの中から受付けた検索キーワードをキーワードとする回答内容を検索し、ディスプレイ  Ｉ／Ｆを介してディスプレイ等に出力する。検索キーワードにより検索された回答内容からさらに所望の回答内容を検索は、回答内容の取得日時等を利用して行う。そして、コンテンツ回答出力プログラムを実行し、携帯者が指定した回答内容の出力を行う。これは、ディスプレイ  Ｉ／Ｆを介してディスプレイにキーワード、取得日時、コンテンツ内容、回答内容等を表示することによって行われる。または、携帯者が指定した回答内容を音声処理  Ｉ／Ｆを介してスピーカ等から出力することによって行われる。
【０１９２】
<実施形態１４：処理の流れ>図６０は、本実施形態に係る携帯端末の動作方法の処理の流れを示す一例である。最初に、ステップＳ６００１において、検索キーワードの入力を受付ける。次に、ステップＳ６００２において、受付けた検索キーワードを利用してコンテンツ回答テーブルを検索する。次に、ステップＳ６００３において、検索結果を画面に表示する。次に、ステップＳ６００４において、携帯者による一の回答内容の選択を受付ける。次に、ステップＳ６００５において、携帯者によって選択された回答内容及びそれに関連付けられているコンテンツ内容等を音声又は画面表示により出力する。
【０１９３】
<実施形態１４：効果>本実施形態に係る携帯端末によれば、記憶されている回答内容を音声又は画面表示により出力することができる。これにより、日記のように記憶されている回答内容を閲覧、視聴することができる。
<<実施形態１５>>
【０１９４】
<実施形態１５：概要>本実施形態は、携帯者の活動量を計測しその測定結果に応じた質問を携帯者に対して出力し、それに対する回答を受け付けて記憶することを特徴とし、さらに、回答の受付を中断、再開をすることができる機能を備えている携帯端末について説明する。
【０１９５】
<実施形態１５：構成>本実施形態における携帯端末の機能ブロック図の一例を図６１に示した。図６１に示す本実施形態の携帯端末は、「計測部」（６１０１）と、「質問テーブル保持部」（６１０２）と、「質問出力部」（６１０３）と、「回答受付部」（６１０４）と、「記憶部」（６１０５）と、を有する。さらに、「回答受付部」（６１０４）は、「回答受付中断再開手段」（６１０７）を有し、「記憶部」（６１０５）は、「記憶手段」（６１０６）を有する。
【０１９６】
「計測部」（６１０１）と、「質問テーブル保持部」（６１０２）と、「質問出力部」（６１０３）と、「回答受付部」（６１０４）と、「記憶部」（６１０５）と、「記憶手段」（６１０６）と、は実施形態１と同様であるので、ここでの説明は省略する。
【０１９７】
「回答受付中断再開手段」（６１０７）は、回答受付部は、回答の受付を中断及び、再開する機能を有する。図１の（ｄ）、（ｅ）に示したように、音声による回答を途中で中断したい場合には、携帯者は（ｄ）の画面に示された中断０１０２ｄに該当するボタンを押すことで中断することができる。さらに、一度中断した音声による回答を再開したい場合には、携帯者は（ｅ）の画面に示された再開０１０２ｅに該当するボタンを押すことで再開することもできる。例えば、音声により回答しようと思ったが、周りに人がいるためにしゃべりにくい場合等に有効に利用できる。また、中断して一時間以上経過した場合には中断の状態を終了し、録音を中断する前までの音声を回答内容として記憶する等の機能がさらについていても良い。
【０１９８】
<実施形態１５：ハードウェア構成>図６２は本実施形態に係る携帯端末の各構成要素をハードウェアとして表現した際の構成の一例を表す概略図である。図６２を利用して、本実施形態に係る携帯端末のハードウェア構成部の働きについて説明する。
【０１９９】
まず、携帯者が本実施形態に係る携帯端末の質問出力回答受付機能を起動すると、計測プログラムを実行し、携帯者の活動量の計測を開始するように計測機器  Ｉ／Ｆを介して計測機器に命令を出力する。そして、計測機器が計測した計測結果を計測機器  Ｉ／Ｆを介して取得し、ＲＡＭの記憶データ領域に記憶、保持する。また、ＲＯＭ等に保持されている質問テーブル及びＨＤＤ等に保持されている回答テーブルを読み出し、ＲＡＭの記憶データ領域に記憶、保持する。次に、質問出力プログラムを実行し、取得した計測結果が質問テーブルの活動量の条件を満たすかを判断する。この判断は、ＣＰＵの演算処理によってなされる。取得した計測結果が質問テーブルの活動量の条件を満たすとの判断であった場合には、該当する質問内容を取得し、音声処理  Ｉ／Ｆを介してスピーカから質問内容を出力する。そして、回答受付プログラムを実行し、例えば音声処理  Ｉ／Ｆを介してマイクから携帯者の音声による回答を受付けるように命令を出す。次に、回答受付中断再開プログラムを実行し、ユーザ  Ｉ／Ｆ（６２１４）等を介して録音を中断するという入力があった場合には、回答受付を中断する。さらに、録音を再開するという入力があった場合には、回答受付を再開する。そして、記憶プログラムを実行し、受付けた回答内容を計測結果と関連付けてＲＡＭの記憶データ領域に回答テーブルとして記憶、保持する。さらに、本機能を終了させる際や定期的な時間毎に、ＲＡＭに一時的に記憶されていた回答テーブルをフラッシュメモリやＨＤＤ等に記憶するようにしても良い。
【０２００】
<実施形態１５：処理の流れ>図６３は、本実施形態に係る携帯端末の動作方法の処理の流れを示す一例である。最初に、ステップＳ６３０１において、質問出力回答受付機能を開始するとの携帯者の入力を受付けたかを判断する。入力を受付けない場合には入力があるまで待機する。また、入力を受付けた場合には、ステップＳ６３０２において、計測結果を取得する。次に、ステップＳ６３０３において、取得した計測結果が質問テーブルの活動量の条件を満たすかを判断する。ここでの判断が、質問テーブルの活動量の条件を満たすとの判断であった場合には、ステップＳ６３０４に進み、質問内容を取得する。次に、ステップＳ６３０５において、質問内容を出力する。次に、ステップＳ６３０７において携帯者からの回答を受付ける。次に、ステップＳ６３０８において、回答受付を終了するかを判断する。これは、例えば、携帯者が終了ボタンを押したかによって判断される。ここで、回答受付を終了しないと判断した場合には、次に、ステップＳ６３０９において、回答受付を中断するかを判断する。これは、例えば、携帯者が中断ボタンを押したかによって判断される。ここで、中断すると判断した場合には、ステップＳ６３１０において回答受付を中断する。そして、ステップＳ６３１１において、回答受付の中断が解除されるまで待機する。そして、回答受付の中断が解除されるとステップＳ６３０７に戻り、回答受付を再開する。次に、ステップＳ６３０８において、回答受付を終了すると判断した場合には、ステップＳ６３１２に進み、受付けた回答内容を計測結果に関連付けて回答テーブルに記憶する。そして、ステップＳ６３１３のタイマー（ＴＩＭＥＲ）において、例えば、１時間の時間が経過するまで待機する。そして、ステップＳ６３１４において、本機能を終了するとの携帯者の入力を受付けたかを判断する。入力を受付けていない場合には、ステップＳ６３０２に戻り、以上の処理を繰り返す。なお、ステップＳ６３０３において、質問テーブルの活動量の条件を満たさないとの判断であった場合には、ステップＳ６３１４に進む。そして、本機能を終了するとの携帯者の入力を受付けていなければ、ステップＳ６３０２に戻り、携帯者の活動量の計測結果が質問テーブルの活動量の条件を満たす状態になるまでＳ６３０２及びステップＳ６３０３の処理を繰り返す。また、ステップＳ６３１４において、本機能を終了するとの携帯者の入力を受付けている場合には、ステップＳ６３０２には戻らずに、本機能を終了させる。
【０２０１】
<実施形態１５：効果>本実施形態に係る携帯端末によれば、周囲の状況に応じて携帯者が録音を中断したり再開したりすることができる。
【図面の簡単な説明】
【０２０２】
【図１】実施形態１に係る携帯端末の機能を説明する概念図
【図２Ａ】実施形態１に係る携帯端末の機能ブロック図
【図２Ｂ】実施形態１に係る携帯端末の機能ブロック図
【図３Ａ】実施形態１に係る質問テーブル及び回答テーブルの一例
【図３Ｂ】実施形態１に係る回答テーブルの一例
【図４】実施形態１に係る携帯端末のハードウェア構成図
【図５】実施形態１に係る携帯端末の処理フロー図
【図６】携帯電話へ実装した例を示すブロック図
【図７】携帯電話の外観図
【図８Ａ】実施形態２に係る携帯端末の機能ブロック図
【図８Ｂ】実施形態２に係る携帯端末の機能ブロック図
【図９】実施形態２に係る時間依存質問テーブルの一例
【図１０】実施形態２に係る携帯端末のハードウェア構成図
【図１１】実施形態２に係る携帯端末の処理フロー図
【図１２】実施形態３に係る携帯端末の機能ブロック図
【図１３】実施形態３に係るタイミングテーブル及び質問テーブルの一例
【図１４】実施形態３に係る携帯端末のハードウェア構成図
【図１５】実施形態３に係る携帯端末の処理フロー図
【図１６】実施形態４に係る携帯端末の機能ブロック図
【図１７】実施形態４に係るデータフォーマットの一例
【図１８】実施形態４に係る携帯端末のハードウェア構成図
【図１９】実施形態４に係る携帯端末の処理フロー図
【図２０】実施形態５に係る携帯端末の機能ブロック図
【図２１】実施形態５に係るキーワードテーブルの一例
【図２２】実施形態５に係る回答テーブルの一例
【図２３】実施形態５に係る携帯端末のハードウェア構成図
【図２４】実施形態５に係る携帯端末の処理フロー図
【図２５】実施形態６に係る携帯端末の機能ブロック図
【図２６】実施形態６に係るキーワード受付の一例
【図２７】実施形態６に係る回答テーブルの一例
【図２８】実施形態６に係る携帯端末のハードウェア構成図
【図２９】実施形態６に係る携帯端末の処理フロー図
【図３０】実施形態７に係る携帯端末の機能ブロック図
【図３１】実施形態７に係る回答内容を検索する一例
【図３２】実施形態７に係る携帯端末のハードウェア構成図
【図３３】実施形態７に係る携帯端末の処理フロー図
【図３４】実施形態８に係る携帯端末の機能ブロック図
【図３５】実施形態８に係る回答内容を出力する一例
【図３６】実施形態８に係る携帯端末のハードウェア構成図
【図３７】実施形態８に係る携帯端末の処理フロー図
【図３８Ａ】実施形態９に係る携帯端末の機能ブロック図
【図３８Ｂ】実施形態９に係る携帯端末の機能ブロック図
【図３９Ａ】実施形態９に係るコンテンツ質問テーブル及びコンテンツ回答テーブルの一例
【図３９Ｂ】実施形態９に係るコンテンツ回答テーブルの一例
【図４０】実施形態９に係る携帯端末のハードウェア構成図
【図４１】実施形態９に係る携帯端末の処理フロー図
【図４２】実施形態１０に係る携帯端末の機能ブロック図
【図４３】実施形態１０に係るデータフォーマットの一例
【図４４】実施形態１０に係る携帯端末のハードウェア構成図
【図４５】実施形態１０に係る携帯端末の処理フロー図
【図４６】実施形態１１に係る携帯端末の機能ブロック図
【図４７】実施形態１１に係るキーワードテーブルの一例
【図４８】実施形態１１に係るコンテンツ回答テーブルの一例
【図４９】実施形態１１に係る携帯端末のハードウェア構成図
【図５０】実施形態１１に係る携帯端末の処理フロー図
【図５１】実施形態１２に係る携帯端末の機能ブロック図
【図５２】実施形態１２に係るコンテンツ回答テーブルの一例
【図５３】実施形態１２に係る携帯端末のハードウェア構成図
【図５４】実施形態１２に係る携帯端末の処理フロー図
【図５５】実施形態１３に係る携帯端末の機能ブロック図
【図５６】実施形態１３に係る携帯端末のハードウェア構成図
【図５７】実施形態１３に係る携帯端末の処理フロー図
【図５８】実施形態１４に係る携帯端末の機能ブロック図
【図５９】実施形態１４に係る携帯端末のハードウェア構成図
【図６０】実施形態１４に係る携帯端末の処理フロー図
【図６１】実施形態１５に係る携帯端末の機能ブロック図
【図６２】実施形態１５に係る携帯端末のハードウェア構成図
【図６３】実施形態１５に係る携帯端末の処理フロー図
【符号の説明】
【０２０３】
０２０１ａ  計測部
０２０２ａ  質問テーブル保持部
０２０３ａ  質問出力部
０２０４ａ  回答受付部
０２０５ａ  記憶部
【図１】
2009265852.tif 000003
【図２Ａ】
2009265852.tif 000004
【図２Ｂ】
2009265852.tif 000005
【図３Ａ】
2009265852.tif 000006
【図３Ｂ】
2009265852.tif 000007
【図４】
2009265852.tif 000008
【図５】
2009265852.tif 000009
【図６】
2009265852.tif 000010
【図７】
2009265852.tif 000011
【図８Ａ】
2009265852.tif 000012
【図８Ｂ】
2009265852.tif 000013
【図９】
2009265852.tif 000014
【図１０】
2009265852.tif 000015
【図１１】
2009265852.tif 000016
【図１２】
2009265852.tif 000017
【図１３】
2009265852.tif 000018
【図１４】
2009265852.tif 000019
【図１５】
2009265852.tif 000020
【図１６】
2009265852.tif 000021
【図１７】
2009265852.tif 000022
【図１８】
2009265852.tif 000023
【図１９】
2009265852.tif 000024
【図２０】
2009265852.tif 000025
【図２１】
2009265852.tif 000026
【図２２】
2009265852.tif 000027
【図２３】
2009265852.tif 000028
【図２４】
2009265852.tif 000029
【図２５】
2009265852.tif 000030
【図２６】
2009265852.tif 000031
【図２７】
2009265852.tif 000032
【図２８】
2009265852.tif 000033
【図２９】
2009265852.tif 000034
【図３０】
2009265852.tif 000035
【図３１】
2009265852.tif 000036
【図３２】
2009265852.tif 000037
【図３３】
2009265852.tif 000038
【図３４】
2009265852.tif 000039
【図３５】
2009265852.tif 000040
【図３６】
2009265852.tif 000041
【図３７】
2009265852.tif 000042
【図３８Ａ】
2009265852.tif 000043
【図３８Ｂ】
2009265852.tif 000044
【図３９Ａ】
2009265852.tif 000045
【図３９Ｂ】
2009265852.tif 000046
【図４０】
2009265852.tif 000047
【図４１】
2009265852.tif 000048
【図４２】
2009265852.tif 000049
【図４３】
2009265852.tif 000050
【図４４】
2009265852.tif 000051
【図４５】
2009265852.tif 000052
【図４６】
2009265852.tif 000053
【図４７】
2009265852.tif 000054
【図４８】
2009265852.tif 000055
【図４９】
2009265852.tif 000056
【図５０】
2009265852.tif 000057
【図５１】
2009265852.tif 000058
【図５２】
2009265852.tif 000059
【図５３】
2009265852.tif 000060
【図５４】
2009265852.tif 000061
【図５５】
2009265852.tif 000062
【図５６】
2009265852.tif 000063
【図５７】
2009265852.tif 000064
【図５８】
2009265852.tif 000065
【図５９】
2009265852.tif 000066
【図６０】
2009265852.tif 000067
【図６１】
2009265852.tif 000068
【図６２】
2009265852.tif 000069
【図６３】
2009265852.tif 000070